(57)【要約】  端末の利用者が国などの複数地域間をまたがって移動するような場合であっても、移動先の地域でテレビ装置などを用いて端末の出力する信号を正しく表示することが可能な携帯端末装置を提供する。  所定の通信規格に従って通信可能な無線通信部と予め定められた信号規格に準拠した形式の信号を外部に用意される任意の表示装置８に出力する標準信号出力部とを備える携帯端末装置であって、前記無線通信部２、３の１つが複数種類の通信規格に対応しているか、もしくは複数の無線通信部２、３がそれぞれ異なる複数種類の通信規格に対応している場合に、無線通信部２、３の動作状態に基づいて選択されている通信規格の種別を検出する通信規格検出手段６と、通信規格検出手段６が検出した通信規格の種別に応じて、前記標準信号出力部が出力する信号の形式を自動的に選択する信号形式選択手段７とを設けた。
2008032369.tif 000002
【特許請求の範囲】
【請求項１】
予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、
前記無線通信部の１つが複数種類の通信規格に対応しているか、もしくは複数の無線通信部がそれぞれ異なる複数種類の通信規格に対応している場合に、１つ又は複数の前記無線通信部の動作状態に基づいて、選択されている通信規格の種別を検出する通信規格検出手段と、
前記通信規格検出手段が検出した通信規格の種別に応じて、前記標準信号出力部が出力する信号の形式を自動的に選択する信号形式選択手段と
を設けたことを特徴とする携帯端末装置。
【請求項２】
請求項１に記載の携帯端末装置において、
複数の通信規格のそれぞれについて対応付けられた信号規格を表す情報が予め保持された変換テーブルを更に設け、
前記信号形式選択手段は、前記通信規格検出手段が検出した通信規格の種別に基づいて前記変換テーブルを参照し、該当する信号規格を表す情報を取得し、この情報に基づいて前記標準信号出力部が出力する信号の形式を決定する
ことを特徴とする携帯端末装置。
【請求項３】
請求項１に記載の携帯端末装置において、複数種類の通信規格のそれぞれに対応した複数の無線通信部が存在する場合に、前記通信規格検出手段は、複数の無線通信部のそれぞれが動作中か否かを識別し、動作中の無線通信部が対応している通信規格の種別を検出することを特徴とする携帯端末装置。
【請求項４】
予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、
前記無線通信部の１つが複数種類の通信規格に対応しているか、もしくは複数の無線通信部がそれぞれ異なる複数種類の通信規格に対応している場合に、前記無線通信部を用いて、通信相手の無線基地局から、国の区別などそれ自身が存在する地域を特定する情報、もしくは前記無線基地局が対応している通信規格の種別を表す情報を基地局情報として取得する基地局情報取得手段と、
前記基地局情報取得手段が取得した基地局情報に基づいて、前記標準信号出力部が出力する信号の形式を自動的に選択する信号形式選択手段と
を設けたことを特徴とする携帯端末装置。
【請求項５】
請求項４に記載の携帯端末装置において、
国の区別などを表す複数の地域のそれぞれに対応付けられた通信規格、もしくは信号規格を表す情報が予め保持された地域変換テーブルを更に設け、
前記信号形式選択手段は、前記基地局情報取得手段が取得した基地局情報に基づいて前記地域変換テーブルを参照し、参照結果に基づいて選択すべき信号の形式を決定する
ことを特徴とする携帯端末装置。
【請求項６】
予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、
それ自身の現在位置を表す位置情報を取得する位置情報取得手段と、
前記位置情報取得手段が取得した位置情報に基づいて、国の区別などそれ自身が存在する地域を特定する地域特定手段と、
前記地域特定手段が特定した現在の地域の情報に基づいて、前記標準信号出力部が出力する信号の形式を自動的に選択する信号形式選択手段と
を設けたことを特徴とする携帯端末装置。
【請求項７】
請求項６に記載の携帯端末装置において、
国の区別などを表す複数の地域のそれぞれに対応付けられた通信規格、もしくは信号規格を表す情報が予め保持された地域変換テーブルを更に設け、
前記信号形式選択手段は、前記地域特定手段が特定した現在の地域の情報に基づいて、前記地域変換テーブルを参照し、参照結果に基づいて選択すべき信号の形式を決定する
ことを特徴とする携帯端末装置。
【発明の詳細な説明】
【技術分野】
【０００１】
本発明は、携帯電話端末、携帯情報端末、ＰＨＳ（パーソナルハンディホン）端末等のような携帯端末装置に関し、特に予め定められた信号規格に準拠した形式の信号を外部に用意されるテレビモニタのような外部の表示装置に対して出力することが可能な携帯端末装置に関する。
【背景技術】
【０００２】
最近では、携帯電話端末や携帯情報端末には様々な機能が備わっている。特に、カメラを用いて写真や動画を撮影したり、撮影により得られた画像をそれ自身の端末上の表示部に表示する機能を備える端末が増えている。また、このような携帯端末装置においては、撮影により得られた画像を外部の装置に出力する機能を備える場合もある。【０００３】
例えば、特許文献１に開示されているように、携帯端末装置から出力した信号をテレビ装置に入力し、携帯端末装置で撮影した画像をテレビ装置の画面に画像を表示することも提案されている。
【特許文献１】特開２００５−１３０１７６号公報
【発明の開示】
【発明が解決しようとする課題】
【０００４】
携帯端末装置で撮影した画像や音声の信号をテレビ装置に入力するためには、テレビ放送の標準規格に準拠した信号フォーマットを用いて携帯端末装置から信号を出力するのが望ましい。例えば、日本国内のアナログ放送を受信するテレビ装置に対応する場合には、ＮＴＳＣ規格の信号フォーマットを用いてテレビ信号を携帯端末装置から出力する必要がある。【０００５】
ところが、テレビ装置の規格には地域ごとに大きな違いがある。すなわち、日本、アメリカ、カナダなどの各国を含む地域ではＮＴＳＣ規格の信号フォーマットを用いているが、ドイツ、イギリス、オランダなどの地域ではＰＡＬ規格の信号フォーマットを用いており、更にフランス、サウジアラビア、ロシアなどの地域ではＳＥＣＡＭ規格の信号フォーマットを用いている。【０００６】
従って、同じ携帯端末装置を様々な地域で販売する場合や、１つの携帯端末装置を所持した利用者が国をまたがって移動するような場合には、携帯端末装置が出力する信号と、それを入力するテレビ装置との間で規格の不一致が発生することになる。例えば、ＮＴＳＣ規格に従って信号を出力する携帯端末装置をドイツ国内で使用する場合には、テレビ装置の規格がＰＡＬ規格であるため、携帯端末装置が出力する信号をテレビ装置の画面に表示することができない。【０００７】
そのため、例えば旅行者やビジネスマンが複数の国の間を移動するような場合には、事前に移動先の国の規格に合った特別な携帯端末装置を用意したり、種類の異なる複数台の携帯端末装置を所持する必要があった。また、同じ利用者が複数台の携帯端末装置を所持している場合であっても、移動先の国における規格を自分で調べて複数の携帯端末装置を使い分ける必要があった。【０００８】
本発明は、端末の利用者が国などの複数地域間をまたがって移動するような場合であっても、移動先の地域でテレビ装置などを用いて端末の出力する信号を正しく表示することが可能な携帯端末装置を提供することを目的とする。
【課題を解決するための手段】
【０００９】
本発明は、予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、前記無線通信部の１つが複数種類の通信規格に対応しているか、もしくは複数の無線通信部がそれぞれ異なる複数種類の通信規格に対応している場合に、１つ又は複数の前記無線通信部の動作状態に基づいて、選択されている通信規格の種別を検出する通信規格検出手段と、前記通信規格検出手段が検出した通信規格の種別に応じて、前記標準信号出力部が出力する信号の形式を自動的に選択する信号形式選択手段とを設けたことを特徴とする。【００１０】
国などの地域の違いに応じて、テレビ装置などが対応している信号規格が変わるが、同時に、携帯電話端末などが無線通信する際に利用する通信システムが対応している通信規格も地域の違いを反映して変化するのが一般的である。例えば、ＧＳＭ、ＰＤＣ、Ｗ−ＣＤＭＡ、ＵＭＴＳなどの通信規格が地域ごとに独立に採用されている。従って、通信システムが対応している通信規格が分かれば、地域の区分を特定することが可能であり、更に、特定された地域の区分からテレビ装置などが対応している信号規格（ＮＴＳＣ、ＰＡＬ、ＳＥＣＡＭなど）を特定することも可能である。【００１１】
本発明では、標準信号出力部が出力する信号の形式を実際に使用する外部のテレビ装置などが対応している信号規格に合わせて自動的に選択することができる。すなわち、前記無線通信部が単独で複数種類の通信規格に対応している場合、あるいは複数の無線通信部がそれぞれ異なる通信規格に対応している場合には、１つ又は複数の無線通信部の動作状態を調べることにより、現在の地域（国）で利用可能な通信システムが対応している通信規格を区別することができるので、地域（国）を特定することもでき、該当する地域においてテレビ装置などが対応している信号規格も特定できる。従って、１台の携帯端末装置を様々な地域に持ち込んで利用する場合であっても、地域の違いに応じた信号規格の違いに自動的に対応できる。【００１２】
また、本発明の別の態様としては、複数の通信規格のそれぞれについて対応付けられた信号規格を表す情報が予め保持された変換テーブルを更に設け、前記信号形式選択手段は、前記通信規格検出手段が検出した通信規格の種別に基づいて前記変換テーブルを参照し、該当する信号規格を表す情報を取得し、この情報に基づいて前記標準信号出力部が出力する信号の形式を決定することを特徴とする。【００１３】
この構成により、変換テーブル上に複数の通信規格のそれぞれについて対応付けられた信号規格を表す情報が予め保持されているので、前記変換テーブルを参照することにより、前記通信規格検出手段が検出した通信規格の種別から適切な信号規格を特定することができる。また、地域を特定する必要もない。【００１４】
また、本発明の別の態様としては、複数種類の通信規格のそれぞれに対応した複数の無線通信部が存在する場合に、前記通信規格検出手段は、複数の無線通信部のそれぞれが動作中か否かを識別し、動作中の無線通信部が対応している通信規格の種別を検出することを特徴とする。【００１５】
この構成により、複数の無線通信部がそれぞれ異なる種類の通信規格に対応しているので、動作中の無線通信部を特定することにより、その端末が存在している地域における通信システムが対応している通信規格を特定することができる。【００１６】
また、本発明の別の態様としては、予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、前記無線通信部の１つが複数種類の通信規格に対応しているか、もしくは複数の無線通信部がそれぞれ異なる複数種類の通信規格に対応している場合に、前記無線通信部を用いて、通信相手の無線基地局から、国の区別などそれ自身が存在する地域を特定する情報、もしくは前記無線基地局が対応している通信規格の種別を表す情報を基地局情報として取得する基地局情報取得手段と、前記基地局情報取得手段が取得した基地局情報に基づいて、前記標準信号出力部が出力する信号の形式を自動的に選択する信号形式選択手段とを設けたことを特徴とする。【００１７】
この構成により、端末自身に搭載された前記無線通信部が所定の無線基地局と通信することにより前記基地局情報を取得するので、それ自身が現在存在する地域（国）を特定したり、あるいは前記基地局が対応している通信規格の種別を特定することができる。信号形式選択手段は、前記基地局情報に基づいて、前記標準信号出力部が出力する信号の形式を自動的に選択するので、実際に使用するテレビ装置などが対応している信号規格（ＮＴＳＣ、ＰＡＬ、ＳＥＣＡＭなど）に適した信号を出力することができる。【００１８】
また、本発明の別の態様としては、国の区別などを表す複数の地域のそれぞれに対応付けられた通信規格、もしくは信号規格を表す情報が予め保持された地域変換テーブルを更に設け、前記信号形式選択手段は、前記基地局情報取得手段が取得した基地局情報に基づいて前記地域変換テーブルを参照し、参照結果に基づいて選択すべき信号の形式を決定することを特徴とする。【００１９】
この構成により、前記地域変換テーブル上に、国の区別などを表す複数の地域のそれぞれに対応付けられた通信規格、もしくは信号規格を表す情報が予め保持されているので、信号形式選択手段は前記地域変換テーブルを参照することにより、前記基地局情報取得手段が取得した基地局情報から該当する通信規格、もしくは信号規格を特定できる。【００２０】
また、本発明の別の態様としては、予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、それ自身の現在位置を表す位置情報を取得する位置情報取得手段と、前記位置情報取得手段が取得した位置情報に基づいて、国の区別などそれ自身が存在する地域を特定する地域特定手段と、前記地域特定手段が特定した現在の地域の情報に基づいて、前記標準信号出力部が出力する信号の形式を自動的に選択する信号形式選択手段とを設けたことを特徴とする。【００２１】
この構成により、前記位置情報取得手段が取得した位置情報に基づいて、地域特定手段が国の区別など端末自身が存在する地域を特定するので、特定された地域で採用されている信号規格を特定することができ、該当地域に適した信号形式を自動的に選択できる。なお、前記位置情報取得手段については例えば市販のＧＰＳ（Global Positioning System）受信機を用いることにより、位置座標（緯度、経度）を検出できる。また、位置座標を地図情報と比較することにより、国などの地域を特定できる。【００２２】
また、本発明の別の態様としては、国の区別などを表す複数の地域のそれぞれに対応付けられた通信規格、もしくは信号規格を表す情報が予め保持された地域変換テーブルを更に設け、前記信号形式選択手段は、前記地域特定手段が特定した現在の地域の情報に基づいて、前記地域変換テーブルを参照し、参照結果に基づいて選択すべき信号の形式を決定することを特徴とする。【００２３】
この構成により、地域変換テーブル上に、国の区別などを表す複数の地域のそれぞれに対応付けられた通信規格、もしくは信号規格を表す情報が予め保持されているので、前記信号形式選択手段は前記地域変換テーブルを参照することにより、前記地域特定手段が特定した現在の地域の情報から、選択すべき信号の形式を決定することができる。
【発明の効果】
【００２４】
本発明によれば、端末の利用者が、表示装置の採用している規格（ＮＴＳＣ、ＰＡＬ、ＳＥＣＡＭなど）の異なる国などの複数地域間をまたがって移動するような場合であっても、移動先のそれぞれの地域でテレビ装置などを用いて端末の出力する信号を正しく表示することが可能になる。
【図面の簡単な説明】
【００２５】
【図１】第１の実施の形態における携帯端末装置の主要部の構成を示すブロック図である。
【図２】図１に示す携帯端末装置の主要動作を示すフローチャートである。
【図３】第２の実施の形態における携帯端末装置の主要部の構成を示すブロック図である。
【図４】図３に示す携帯端末装置の主要動作を示すフローチャートである。
【図５】図３に示す携帯端末装置に搭載されたテーブルの構成例を示す模式図である。
【図６】第３の実施の形態における携帯端末装置の主要部の構成を示すブロック図である。
【図７】図６に示す携帯端末装置の主要動作を示すフローチャートである。
【図８】図６に示す携帯端末装置に搭載されたテーブルの構成例を示す模式図である。
【図９】第４の実施の形態における携帯端末装置の主要部の構成を示すブロック図である。
【図１０】図９に示す携帯端末装置の主要動作を示すフローチャートである。
【符号の説明】
【００２６】
２、３、９、１０  無線部
４  ＴＶ−ＯＵＴ出力要求部
５、５Ｂ、５Ｃ、５Ｄ  制御部
６、６Ｂ、６Ｃ、６Ｄ  ＴＶ信号方式選択部
７  ＴＶ−ＯＵＴ信号出力部
８  テレビ装置
１１  無線部
１２  基地局
１３  ＧＰＳ受信部
２１、２２  テーブル
５０Ａ、５０Ｂ、５０Ｃ、５０Ｄ  携帯端末装置
【発明を実施するための最良の形態】
【００２７】
（第１の実施の形態）
本発明の携帯端末装置に関する１つの実施の形態について、図１及び図２を参照しながら以下に説明する。図１は第１の実施の形態における携帯端末装置の主要部の構成を示すブロック図である。図２は図１に示す携帯端末装置の主要動作を示すフローチャートである。【００２８】
この形態の携帯端末装置５０Ａは、図１に示すように、無線部２と、無線部３と、ＴＶ−ＯＵＴ出力要求部４と、制御部５と、ＴＶ信号方式選択部６と、ＴＶ−ＯＵＴ信号出力部７とを備えている。【００２９】
なお、具体的な携帯端末装置５０Ａとしては、携帯電話端末や、携帯型情報端末（ＰＤＡ）や、ＰＨＳ端末などが想定される。【００３０】
無線部２は、携帯端末装置５０Ａが携帯電話などの機能を実現するために必要な無線通信機能を備える回路であり、所定の通信規格（例えばＰＤＣ、ＣＤＭＡ２０００、Ｗ−ＣＤＭＡ、ＧＳＭなどのいずれか）に従って通信を行うように構成されている。【００３１】
無線部３は、上記無線部２と同様に、携帯端末装置５０Ａが携帯電話などの機能を実現するために必要な無線通信機能を備える回路であり、無線部２が対応している通信規格とは異なる通信規格に従って通信を行うように構成されている。【００３２】
実際には、例えば無線部２を（Ｗ−ＣＤＭＡ）の通信規格に従うように構成し、無線部３を（ＧＳＭ）の通信規格に従うように構成することが想定される。これにより、無線部２と無線部３とを切り替えて使用することにより、２種類の通信規格のそれぞれに対応した通信モードで選択的に通信を行うことができるので、複数の地域（国）のいずれにおいても、通信システムが対応している通信規格に従って通信することができる。なお、無線部２が対応する通信規格や無線部３が対応する通信規格については、例えば携帯端末装置５０Ａが販売される地域の状況に応じて変更すればよい。【００３３】
ＴＶ−ＯＵＴ信号出力部７は、携帯端末装置５０Ａの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。【００３４】
ＴＶ−ＯＵＴ信号出力部７が出力するテレビ信号には、例えば携帯端末装置５０Ａに搭載されたカメラ（図示せず）を用いて撮影された写真や動画などの映像や音声などの情報を、アナログ信号の形態で含めることが想定される。なお、携帯端末装置５０Ａの外部に接続するテレビ装置８については、放送波を受信する機能を備えたテレビ受像機や、様々な機器が出力するテレビ信号を画面に表示する機能を備えたテレビモニタなどが想定される。【００３５】
ＴＶ信号方式選択部６は、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。【００３６】
ＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５に印加される。【００３７】
制御部５は、予め定めたプログラムの内容と状況の変化とに対応して、携帯端末装置５０Ａ内部の各部を制御する。なお、制御部５についてはマイクロプロセッサを用いて構成することもできるし、制御用の専用の論理回路などのハードウェアを用いて構成することもできる。【００３８】
図１に示す携帯端末装置５０Ａに関する特徴的な動作の処理手順が図２に示されている。すなわち、携帯端末装置５０Ａの内部のＴＶ−ＯＵＴ信号出力部７から標準フォーマットのテレビ信号を出力し、このテレビ信号をテレビ装置８に入力するための制御の内容が図２に示されている。図２の各ステップについて以下に説明する。【００３９】
ステップＳ００１では、制御部５はＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５の処理は次のステップＳ００２に進む。【００４０】
ステップＳ００２では、制御部５は一方の無線部２が動作中か否かを確認する。無線部２が動作中であった場合には、制御部５からＴＶ信号方式選択部６に対して無線部２が動作中であることを表す情報を送信し、ステップＳ００３の処理に進む。無線部２が動作中でなかった場合には、ステップＳ００４の処理に進む。【００４１】
ステップＳ００３では、ＴＶ信号方式選択部６は制御部５から入力された情報（無線部２が動作中であるという情報）に基づいて、無線部２の状態を調べ、無線部２が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。【００４２】
ステップＳ００４では、制御部５はもう一方の無線部３が動作中か否かを確認する。無線部３が動作中であった場合には、制御部５はＴＶ信号方式選択部６に対して、無線部３が動作中であることを表す情報を送信し、ステップＳ００５の処理に進む。【００４３】
ステップＳ００５では、ＴＶ信号方式選択部６は制御部５から入力された情報（無線部３が動作中であるという情報）に基づいて、無線部３の状態を調べ、無線部３が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。【００４４】
ステップＳ００６では、ＴＶ−ＯＵＴ信号出力部７は、ＴＶ信号方式選択部６から出力される制御信号に従って１つの信号規格（ＮＴＳＣ、ＰＡＬ、ＳＥＣＡＭのいずれか）を選択し、この信号規格に合わせた信号フォーマットでテレビ信号を出力する。【００４５】
つまり、無線部２が動作状態であれば、無線部２が対応している通信規格に基づいて、ＴＶ−ＯＵＴ信号出力部７が出力するテレビ信号の信号フォーマットを規定する信号規格が自動的に選択され、無線部２が非動作状態でかつ無線部３が動作状態であれば、無線部３が対応している通信規格に基づいて、ＴＶ−ＯＵＴ信号出力部７が出力するテレビ信号の信号フォーマットを規定する信号規格が自動的に選択される。【００４６】
例えば、無線部２が動作中であり、無線部２が対応している通信規格が（Ｗ−ＣＤＭＡ）であれば、（Ｗ−ＣＤＭＡ）に対応付けられた信号規格をＴＶ−ＯＵＴ信号出力部７が選択するように、ＴＶ信号方式選択部６が制御信号を生成する。また、無線部２が非動作状態で無線部３が動作中であり、無線部３が対応している通信規格が（ＧＳＭ）であれば、（ＧＳＭ）に対応付けられた信号規格をＴＶ−ＯＵＴ信号出力部７が選択するように、ＴＶ信号方式選択部６が制御信号を生成する。【００４７】
具体的には、（Ｗ−ＣＤＭＡ）の通信規格を採用している地域（国）では、テレビ信号の信号規格として（ＮＴＳＣ）を採用している場合が多く、（ＧＳＭ）の通信規格を採用している地域（国）では、テレビ信号の信号規格として（ＰＡＬ）を採用している場合が多いので、ＴＶ信号方式選択部６は（Ｗ−ＣＤＭＡ）の通信規格と（ＮＴＳＣ）の信号規格とを対応付け、（ＧＳＭ）の通信規格と（ＰＡＬ）の信号規格とを対応付けるように制御すればよい。【００４８】
従って、携帯端末装置５０Ａが無線部２を用いて（Ｗ−ＣＤＭＡ）の通信規格で通信している場合には、ＴＶ−ＯＵＴ信号出力部７が出力するテレビ信号の信号フォーマットを規定する信号規格として（ＮＴＳＣ）が選択され、携帯端末装置５０Ａが無線部３を用いて（ＧＳＭ）の通信規格で通信している場合には、ＴＶ−ＯＵＴ信号出力部７が出力するテレビ信号の信号フォーマットを規定する信号規格として（ＰＡＬ）が選択される。【００４９】
もちろん、携帯電話などの通信で利用されている通信規格とテレビ信号の信号規格との対応関係については、各地域の実際の状況に合わせて適宜変更すればよい。なお、図１に示す携帯端末装置５０Ａは２つの無線部２及び３を備えているが、１つの無線部が複数種類の通信規格に選択的に対応できる場合には、１つの無線部を設けるだけでも構わない。また、複数の通信規格のそれぞれとテレビ信号の信号規格との対応関係については、無線部２と無線部３とのどちらが動作しているかに応じて対応関係を切り替えるように制御しても良い。【００５０】
いずれにしても、図１に示す携帯端末装置５０Ａからテレビ信号を出力し、任意のテレビ装置８に画像等を表示しようとする場合には、動作中の無線部２又は無線部３が対応している通信規格に合わせて自動的に選択された信号規格に基づいて、ＴＶ−ＯＵＴ信号出力部７が出力するテレビ信号の信号フォーマットが決定されるので、携帯電話等で採用している通信規格とテレビ信号が採用している信号規格との関係が特定可能な地域（国）であれば、様々な地域の間を移動する場合であっても、それぞれの地域でテレビ装置８の規格に合った適切なテレビ信号を自動的に選択することができる。【００５１】
（第２の実施の形態）
本発明の携帯端末装置に関するもう１つの実施の形態について、図３〜図５を参照しながら以下に説明する。【００５２】
図３は第２の実施の形態における携帯端末装置の主要部の構成を示すブロック図である。図４は図３に示す携帯端末装置の主要動作を示すフローチャートである。図５は図３に示す携帯端末装置に搭載されたテーブルの構成例を示す模式図である。【００５３】
この形態は第１の実施の形態の変形例である。また、図３において図１と対応する要素は同一の符号を付けて示してある。【００５４】
この形態の携帯端末装置５０Ｂは、図３に示すように、無線部２と、無線部３と、無線部９と、無線部１０と、ＴＶ−ＯＵＴ出力要求部４と、制御部５Ｂと、ＴＶ信号方式選択部６Ｂと、ＴＶ−ＯＵＴ信号出力部７とを備えている。また、ＴＶ信号方式選択部６Ｂの内部には図５に示すようなテーブル２１が備わっている。【００５５】
なお、具体的な携帯端末装置５０Ｂとしては、携帯電話端末や、携帯型情報端末（ＰＤＡ）や、ＰＨＳ端末などが想定される。【００５６】
図３に示す無線部２、無線部３、無線部９及び無線部１０は、いずれも携帯端末装置５０Ｂが携帯電話などの機能を実現するために必要な無線通信機能を備える回路であり、所定の通信規格（例えばＰＤＣ、ＣＤＭＡ２０００、Ｗ−ＣＤＭＡ、ＧＳＭなどのいずれか）に従って通信を行うように構成されている。【００５７】
但し、無線部２が対応している通信規格と、無線部３が対応している通信規格と、無線部９が対応している通信規格と、無線部１０が対応している通信規格とは互いに異なっている。つまり、無線部２と、無線部３と、無線部９と、無線部１０とを使い分けることにより、４種類の通信規格のそれぞれに対応した通信が可能になる。【００５８】
実際には、例えば無線部２を（ＧＳＭ）の通信規格に従うように構成し、無線部３を（ＰＤＣ）の通信規格に従うように構成し、無線部９を（Ｗ−ＣＤＭＡ）の通信規格に従うように構成し、無線部１０を（ＵＭＴＳ）の通信規格に従うように構成することが想定される。【００５９】
これにより、無線部２と、無線部３と、無線部９と、無線部１０とを切り替えて使用することにより、４種類の通信規格のそれぞれに対応した通信モードで選択的に通信を行うことができるので、複数の地域（国）のいずれにおいても、通信システムが対応している通信規格に従って通信することが可能になる。なお、各無線部２、３、９、１０がそれぞれ対応する通信規格については、例えば携帯端末装置５０Ｂが販売される地域の状況に応じて変更すればよい。また、携帯端末装置５０Ｂに設ける無線部の数については更に増やしても良い。【００６０】
図３に示すＴＶ−ＯＵＴ信号出力部７は、携帯端末装置５０Ｂの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。【００６１】
ＴＶ−ＯＵＴ信号出力部７が出力するテレビ信号には、例えば携帯端末装置５０Ｂに搭載されたカメラ（図示せず）を用いて撮影された写真や動画などの映像や音声などの情報を、アナログ信号の形態で含めることが想定される。なお、携帯端末装置５０Ｂの外部に接続するテレビ装置８については、放送波を受信する機能を備えたテレビ受像機や、様々な機器が出力するテレビ信号を画面に表示する機能を備えたテレビモニタなどが想定される。【００６２】
図３に示すＴＶ信号方式選択部６Ｂは、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。【００６３】
ＴＶ信号方式選択部６Ｂの内部には、図５に示すような構成のテーブル２１が設けてある。テーブル２１には、携帯端末装置５０Ｂに設けられた複数の無線部２、３、９、１０のそれぞれについて、通信規格（ＧＳＭ、ＰＤＣ、Ｗ−ＣＤＭＡ、ＵＭＴＳなど）と信号規格（ＰＡＬ、ＮＴＳＣ、ＳＥＣＡＭなど）との対応関係を表す情報が保持されている。従って、ＴＶ信号方式選択部６Ｂはテーブル２１の内容を参照することにより、各無線部２、３、９、１０と特定の信号規格（ＰＡＬ、ＮＴＳＣ、ＳＥＣＡＭなどのいずれか）とを対応付けたり、各通信規格（ＧＳＭ、ＰＤＣ、Ｗ−ＣＤＭＡ、ＵＭＴＳなどのいずれか）と特定の信号規格とを対応付けることができる。【００６４】
図３に示すＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５Ｂに印加される。【００６５】
図３に示す制御部５Ｂは、予め定めたプログラムの内容と状況の変化とに対応して、携帯端末装置５０Ｂ内部の各部を制御する。なお、制御部５Ｂについてはマイクロプロセッサを用いて構成することもできるし、制御用の専用の論理回路などのハードウェアを用いて構成することもできる。【００６６】
図３に示す携帯端末装置５０Ｂに関する特徴的な動作の処理手順が図４に示されている。すなわち、携帯端末装置５０Ｂの内部のＴＶ−ＯＵＴ信号出力部７から標準フォーマットのテレビ信号を出力し、このテレビ信号をテレビ装置８に入力するための制御の内容が図４に示されている。図４の各ステップについて以下に説明する。【００６７】
ステップＳ１０１では、制御部５ＢはＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５Ｂの処理は次のステップＳ１０２に進む。【００６８】
ステップＳ１０２では、制御部５Ｂは１番目の無線部（Ａ）２が動作中か否かを確認する。無線部２が動作中であった場合には、制御部５ＢからＴＶ信号方式選択部６Ｂに対して無線部２が動作中であることを表す情報を送信し、ステップＳ１０３の処理に進む。無線部２が動作中でなかった場合には、ステップＳ１０４の処理に進む。【００６９】
ステップＳ１０３では、ＴＶ信号方式選択部６Ｂは制御部５Ｂから入力された情報（無線部２が動作中であるという情報）に基づいて、無線部２の状態を調べ、無線部２が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。【００７０】
実際には、図５に示すようなテーブル２１がＴＶ信号方式選択部６Ｂに備わっているので、ＴＶ信号方式選択部６Ｂはテーブル２１の内容を参照し、制御部５Ｂから入力された情報と関連付けられている１つの信号規格を特定する。すなわち、図５に示す例では、無線部（Ａ）２の通信規格が（ＧＳＭ）であり、信号規格の（ＰＡＬ）と関連付けてあるので、ＴＶ−ＯＵＴ信号出力部７が（ＰＡＬ）の信号規格を選択するように制御信号を生成する。【００７１】
ステップＳ１０４では、制御部５Ｂは２番目の無線部（Ｂ）３が動作中か否かを確認する。無線部３が動作中であった場合には、制御部５ＢからＴＶ信号方式選択部６Ｂに対して無線部３が動作中であることを表す情報を送信し、ステップＳ１０５の処理に進む。無線部３が動作中でなかった場合には、ステップＳ１０７の処理に進む。【００７２】
ステップＳ１０５では、ＴＶ信号方式選択部６Ｂは制御部５Ｂから入力された情報（無線部３が動作中であるという情報）に基づいて、無線部３の状態を調べ、無線部３が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。【００７３】
実際には、ステップＳ１０３と同様にＴＶ信号方式選択部６Ｂはテーブル２１の内容を参照し、制御部５Ｂから入力された情報と関連付けられている１つの信号規格を特定する。すなわち、図５に示す例では、無線部（Ｂ）３の通信規格が（ＰＤＣ）であり、信号規格の（ＮＴＳＣ）と関連付けてあるので、ＴＶ−ＯＵＴ信号出力部７が（ＮＴＳＣ）の信号規格を選択するように制御信号を生成する。【００７４】
ステップＳ１０７では、制御部５Ｂは３番目の無線部（Ｃ）９が動作中か否かを確認する。無線部９が動作中であった場合には、制御部５ＢからＴＶ信号方式選択部６Ｂに対して無線部９が動作中であることを表す情報を送信し、ステップＳ１０８の処理に進む。無線部９が動作中でなかった場合には、ステップＳ１０９の処理に進む。【００７５】
ステップＳ１０８では、ＴＶ信号方式選択部６Ｂは制御部５Ｂから入力された情報（無線部９が動作中であるという情報）に基づいて、無線部９の状態を調べ、無線部９が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。【００７６】
実際には、ステップＳ１０３と同様にＴＶ信号方式選択部６Ｂはテーブル２１の内容を参照し、制御部５Ｂから入力された情報と関連付けられている１つの信号規格を特定する。すなわち、図５に示す例では、無線部（Ｃ）９の通信規格が（Ｗ−ＣＤＭＡ）であり、信号規格の（ＮＴＳＣ）と関連付けてあるので、ＴＶ−ＯＵＴ信号出力部７が（ＮＴＳＣ）の信号規格を選択するように制御信号を生成する。【００７７】
ステップＳ１０９では、制御部５Ｂは４番目の無線部（Ｄ）１０が動作中か否かを確認する。無線部１０が動作中であった場合には、制御部５ＢからＴＶ信号方式選択部６Ｂに対して無線部１０が動作中であることを表す情報を送信し、ステップＳ１１０の処理に進む。無線部９が動作中でなかった場合には他の処理に進む。【００７８】
ステップＳ１１０では、ＴＶ信号方式選択部６Ｂは制御部５Ｂから入力された情報（無線部１０が動作中であるという情報）に基づいて、無線部１０の状態を調べ、無線部１０が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。【００７９】
実際には、ステップＳ１０３と同様にＴＶ信号方式選択部６Ｂはテーブル２１の内容を参照し、制御部５Ｂから入力された情報と関連付けられている１つの信号規格を特定する。すなわち、図５に示す例では、無線部（Ｄ）１０の通信規格が（ＵＭＴＳ）であり、信号規格の（ＰＡＬ）と関連付けてあるので、ＴＶ−ＯＵＴ信号出力部７が（ＰＡＬ）の信号規格を選択するように制御信号を生成する。【００８０】
ステップＳ１０６では、ＴＶ−ＯＵＴ信号出力部７は、ＴＶ信号方式選択部６Ｂから出力される制御信号に従って１つの信号規格（ＮＴＳＣ、ＰＡＬ、ＳＥＣＡＭのいずれか）を選択し、この信号規格に合わせた信号フォーマットでテレビ信号を出力する。【００８１】
つまり、無線部２が動作状態であれば、無線部２が対応している通信規格に基づいて、ＴＶ−ＯＵＴ信号出力部７が出力するテレビ信号の信号フォーマットを規定する信号規格が自動的に選択され、無線部２が非動作状態でかつ無線部３が動作状態であれば、無線部３が対応している通信規格に基づいて、ＴＶ−ＯＵＴ信号出力部７が出力するテレビ信号の信号フォーマットを規定する信号規格が自動的に選択され、無線部２及び３が非動作状態でかつ無線部９が動作状態であれば、無線部９が対応している通信規格に基づいて、ＴＶ−ＯＵＴ信号出力部７が出力するテレビ信号の信号フォーマットを規定する信号規格が自動的に選択され、無線部２、３、９が全て非動作状態でかつ無線部１０が動作状態であれば、無線部１０が対応している通信規格に基づいて、ＴＶ−ＯＵＴ信号出力部７が出力するテレビ信号の信号フォーマットを規定する信号規格が自動的に選択される。【００８２】
なお、ＴＶ信号方式選択部６Ｂ内のテーブル２１上に事前に登録される通信規格とテレビ信号の信号規格との対応関係については、各地域（国）における通信システムの実際の状況に合わせて適宜決定すればよい。また、例えばテーブル２１として内容の異なる複数種類のテーブルを用意しておき、実際に使用するテーブルをスイッチなどを選択できるように構成しても良い。【００８３】
いずれにしても、図３に示す携帯端末装置５０Ｂからテレビ信号を出力し、任意のテレビ装置８に画像等を表示しようとする場合には、動作中のいずれかの無線部（２、３、９、１０）が対応している通信規格に合わせて自動的に選択された信号規格に基づいて、ＴＶ−ＯＵＴ信号出力部７が出力するテレビ信号の信号フォーマットが決定されるので、携帯電話等で採用している通信規格とテレビ信号が採用している信号規格との関係が特定可能な地域（国）であれば、様々な地域の間を移動する場合であっても、それぞれの地域でテレビ装置８の規格に合った適切なテレビ信号を自動的に選択することができる。特に、テーブル２１を用いて通信規格と信号規格との対応関係を管理することにより、様々な通信規格が存在する場合であっても、選択すべき適切な信号規格を簡単に特定できる。【００８４】
（第３の実施の形態）
本発明の携帯端末装置に関するもう１つの実施の形態について、図６〜図８を参照しながら以下に説明する。図６は第３の実施の形態における携帯端末装置の主要部の構成を示すブロック図である。図７は図６に示す携帯端末装置の主要動作を示すフローチャートである。図８は図６に示す携帯端末装置に搭載されたテーブルの構成例を示す模式図である。【００８５】
この形態は第１の実施の形態の変形例である。また、図６において図１と対応する要素は同一の符号を付けて示してある。【００８６】
この形態の携帯端末装置５０Ｃは、図６に示すように、無線部１１と、ＴＶ−ＯＵＴ出力要求部４と、制御部５Ｃと、ＴＶ信号方式選択部６Ｃと、ＴＶ−ＯＵＴ信号出力部７とを備えている。また、ＴＶ信号方式選択部６Ｃの内部には図８に示すようなテーブル２２が備わっている。【００８７】
なお、具体的な携帯端末装置５０Ｃとしては、携帯電話端末や、携帯型情報端末（ＰＤＡ）や、ＰＨＳ端末などが想定される。【００８８】
図６に示す無線部１１は、いずれも携帯端末装置５０Ｃが携帯電話などの機能を実現するために必要な無線通信機能を備える回路であり、それ自身のモード切替により、複数種類の通信規格（例えばＰＤＣ、ＣＤＭＡ２０００、Ｗ−ＣＤＭＡ、ＧＳＭなど）のそれぞれに対応し、いずれの通信規格でも通信できるように構成されている。また、無線通信の相手である基地局１２との間で通信し、基地局１２から現在の地域（所在地の国など）を特定可能な情報を取得することができる。【００８９】
図６に示すＴＶ−ＯＵＴ信号出力部７は、携帯端末装置５０Ｃの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。【００９０】
ＴＶ−ＯＵＴ信号出力部７が出力するテレビ信号には、例えば携帯端末装置５０Ｃに搭載されたカメラ（図示せず）を用いて撮影された写真や動画などの映像や音声などの情報を、アナログ信号の形態で含めることが想定される。なお、携帯端末装置５０Ｃの外部に接続するテレビ装置８については、放送波を受信する機能を備えたテレビ受像機や、様々な機器が出力するテレビ信号を画面に表示する機能を備えたテレビモニタなどが想定される。【００９１】
図６に示すＴＶ信号方式選択部６Ｃは、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。【００９２】
ＴＶ信号方式選択部６Ｃの内部には、図８に示すような構成のテーブル２２が設けてある。テーブル２２には、複数の地域（国）のそれぞれについて、テレビ信号の規格として採用されている信号規格（ＰＡＬ、ＮＴＳＣ、ＳＥＣＡＭなど）を表す情報が保持されている。【００９３】
従って、所在地の国が特定できる場合には、ＴＶ信号方式選択部６Ｃはテーブル２２の内容を参照することにより、選択すべき信号規格（ＰＡＬ、ＮＴＳＣ、ＳＥＣＡＭなどのいずれか）も特定できる。【００９４】
図６に示すＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５Ｃに印加される。【００９５】
図６に示す制御部５Ｃは、予め定めたプログラムの内容と状況の変化とに対応して、携帯端末装置５０Ｃ内部の各部を制御する。なお、制御部５Ｃについてはマイクロプロセッサを用いて構成することもできるし、制御用の専用の論理回路などのハードウェアを用いて構成することもできる。【００９６】
図６に示す携帯端末装置５０Ｃに関する特徴的な動作の処理手順が図７に示されている。すなわち、携帯端末装置５０Ｃの内部のＴＶ−ＯＵＴ信号出力部７から標準フォーマットのテレビ信号を出力し、このテレビ信号をテレビ装置８に入力するための制御の内容が図７に示されている。図７の各ステップについて以下に説明する。【００９７】
ステップＳ２０１では、制御部５ＣはＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５Ｃの処理は次のステップＳ２０２に進む。【００９８】
ステップＳ２０２では、制御部５Ｃの指示に従って、無線部１１が現在の所在地の国を表す情報を含む地域情報を基地局１２に対して要求する。この要求に対して、基地局１２は所在地の国を表す情報を含む地域情報を送信する。そして無線部１１は、基地局１２から取得した地域情報を制御部５Ｃに通知する。更に、制御部５Ｃは無線部１１から通知された地域情報の内容（国の区別）をＴＶ信号方式選択部６Ｃに通知する。【００９９】
ステップＳ２０３では、ＴＶ信号方式選択部６Ｃは制御部５Ｃから通知された地域情報の内容（国の区別）に基づいて、現在の地域（国）でテレビ信号の適切な信号規格（ＮＴＳＣ、ＰＡＬ、ＳＥＣＡＭのいずれか）を選択するための制御信号を生成し、この制御信号をＴＶ−ＯＵＴ信号出力部７に出力する。【０１００】
実際には、ＴＶ信号方式選択部６Ｃにテーブル２２が備わっているので、ＴＶ信号方式選択部６Ｃはテーブル２２の内容を参照し、現在の地域（国）と関連付けられている１つの信号規格を特定する。例えば、図８に示す内容のテーブル２２を用いる場合に、検出された現在の地域（国）が「日本」であれば、信号規格として（ＮＴＳＣ）を自動的に選択し、現在の地域（国）が「スペイン」であれば、信号規格として（ＰＡＬ）を自動的に選択し、現在の地域（国）が「フランス」であれば、信号規格として（ＳＥＣＡＭ）を自動的に選択するようにそれぞれ制御信号を生成する。【０１０１】
ステップＳ２０４では、ＴＶ−ＯＵＴ信号出力部７は、ＴＶ信号方式選択部６Ｃから出力される制御信号に従って１つの信号規格（ＮＴＳＣ、ＰＡＬ、ＳＥＣＡＭのいずれか）を選択し、この信号規格に合わせた信号フォーマットでテレビ信号を出力する。【０１０２】
なお、ＴＶ信号方式選択部６Ｃ内のテーブル２２上に事前に登録される国とテレビ信号の信号規格との対応関係については、実際の各地域（国）におけるテレビ放送の規格に合わせて適宜決定すればよい。また、例えばテーブル２２として内容の異なる複数種類のテーブルを用意しておき、実際に使用するテーブルをスイッチなどを選択できるように構成しても良い。また、テーブル２２上に登録する国の数については必要に応じて増やしても良い。【０１０３】
また、図６に示した携帯端末装置５０Ｃにおいては、国を表す地域情報を基地局１２から取得する場合を想定しているが、地域情報の代わりにシステムが対応している通信規格（例えばＰＤＣ、ＣＤＭＡ２０００、Ｗ−ＣＤＭＡ、ＧＳＭなどの区分）を表す情報を取得しても良い。その場合には、テーブル２２の代わりに前述のテーブル２１を利用すればよい。【０１０４】
いずれにしても、図６に示す携帯端末装置５０Ｃからテレビ信号を出力し、任意のテレビ装置８に画像等を表示しようとする場合には、現在の所在地の地域（国）で採用している信号規格を自動的に識別し、ＴＶ−ＯＵＴ信号出力部７が出力するテレビ信号の信号フォーマットが適切に決定されるので、様々な地域の間を移動する場合であっても、それぞれの地域でテレビ装置８の規格に合った適切なテレビ信号を自動的に選択することができる。特に、テーブル２２を用いて地域と信号規格との対応関係を管理することにより、様々な国で選択すべき適切な信号規格を簡単に特定できる。【０１０５】
（第４の実施の形態）
本発明の携帯端末装置に関するもう１つの実施の形態について、図９及び図１０を参照しながら以下に説明する。図９は第４の実施の形態における携帯端末装置の主要部の構成を示すブロック図である。図１０は図９に示す携帯端末装置の主要動作を示すフローチャートである。【０１０６】
この形態は第１の実施の形態の変形例である。また、図９において図１と対応する要素は同一の符号を付けて示してある。【０１０７】
この形態の携帯端末装置５０Ｄは、図９に示すように、ＧＰＳ受信部１３と、ＴＶ−ＯＵＴ出力要求部４と、制御部５Ｄと、ＴＶ信号方式選択部６Ｄと、ＴＶ−ＯＵＴ信号出力部７とを備えている。【０１０８】
なお、具体的な携帯端末装置５０Ｄとしては、携帯電話端末や、携帯型情報端末（ＰＤＡ）や、ＰＨＳ端末などが想定される。【０１０９】
ＧＰＳ受信部１３は、同時に複数のＧＰＳ（Global Positioning System）衛星からの電波を受信することにより、それ自身が存在する位置の座標（緯度／経度）を表す情報を計算により求めることができる。なお、ＧＰＳ受信部１３については市販のＧＰＳ受信機を用いることができる。【０１１０】
図９に示すＴＶ−ＯＵＴ信号出力部７は、携帯端末装置５０Ｄの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。【０１１１】
ＴＶ−ＯＵＴ信号出力部７が出力するテレビ信号には、例えば携帯端末装置５０Ｄに搭載されたカメラ（図示せず）を用いて撮影された写真や動画などの映像や音声などの情報を、アナログ信号の形態で含めることが想定される。なお、携帯端末装置５０Ｄの外部に接続するテレビ装置８については、放送波を受信する機能を備えたテレビ受像機や、様々な機器が出力するテレビ信号を画面に表示する機能を備えたテレビモニタなどが想定される。【０１１２】
図９に示すＴＶ信号方式選択部６Ｄは、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。【０１１３】
図９に示すＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５Ｃに印加される。【０１１４】
図９に示す制御部５Ｄは、予め定めたプログラムの内容と状況の変化とに対応して、携帯端末装置５０Ｄ内部の各部を制御する。なお、制御部５Ｄについてはマイクロプロセッサを用いて構成することもできるし、制御用の専用の論理回路などのハードウェアを用いて構成することもできる。【０１１５】
図９に示す携帯端末装置５０Ｄに関する特徴的な動作の処理手順が図１０に示されている。すなわち、携帯端末装置５０Ｄの内部のＴＶ−ＯＵＴ信号出力部７から標準フォーマットのテレビ信号を出力し、このテレビ信号をテレビ装置８に入力するための制御の内容が図１０に示されている。図１０の各ステップについて以下に説明する。【０１１６】
ステップＳ３０１では、制御部５ＤはＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５Ｄの処理は次のステップＳ３０２に進む。【０１１７】
ステップＳ３０２では、制御部５Ｃの指示に従って、ＧＰＳ受信部１３は複数のＧＰＳ衛星からの電波を同時に受信すると共に、受信した電波の信号に基づいてそれ自身の現在位置を表す緯度／経度の情報を算出する。ＧＰＳ受信部１３が算出した位置情報は制御部５Ｄに通知される。制御部５Ｄは、ＧＰＳ受信部１３から通知された緯度／経度の位置情報に基づいて該当する地域（国）を特定し、特定された地域を表す情報をＴＶ信号方式選択部６Ｄに通知する。【０１１８】
ステップＳ３０３では、ＴＶ信号方式選択部６Ｄは制御部５Ｄから通知された地域情報の内容（国の区別）に基づいて、現在の地域（国）でテレビ信号の適切な信号規格（ＮＴＳＣ、ＰＡＬ、ＳＥＣＡＭのいずれか）を選択するための制御信号を生成し、この制御信号をＴＶ−ＯＵＴ信号出力部７に出力する。例えば前述のテーブル２２を利用することにより、現在の地域（国）で採用されているテレビ信号の信号規格（ＮＴＳＣ、ＰＡＬ、ＳＥＣＡＭ等）を識別できる。【０１１９】
例えば、図８に示す内容のテーブル２２を用いる場合に、検出された現在位置を含む地域（国）が「日本」であれば、信号規格として（ＮＴＳＣ）を自動的に選択し、検出された現在位置を含む地域（国）が「スペイン」であれば、信号規格として（ＰＡＬ）を自動的に選択し、検出された現在位置を含む地域（国）が「フランス」であれば、信号規格として（ＳＥＣＡＭ）を自動的に選択するようにそれぞれ制御信号が生成される。【０１２０】
ステップＳ３０４では、ＴＶ−ＯＵＴ信号出力部７は、ＴＶ信号方式選択部６Ｄから出力される制御信号に従って１つの信号規格（ＮＴＳＣ、ＰＡＬ、ＳＥＣＡＭのいずれか）を選択し、この信号規格に合わせた信号フォーマットでテレビ信号を出力する。【０１２１】
なお、図９に示した携帯端末装置５０Ｄにおいては、現在位置の座標から地域（国）を識別する機能を制御部５Ｄに設ける場合を想定しているが、ＧＰＳ受信部１３側で地域を識別しても良いし、ＴＶ信号方式選択部６Ｄ側で位置座標から地域を識別しても良い。なお、他の実施の形態と同様に少なくとも１つの無線部を携帯端末装置５０Ｄにも搭載するのが望ましい。【０１２２】
いずれにしても、図９に示す携帯端末装置５０Ｄからテレビ信号を出力し、任意のテレビ装置８に画像等を表示しようとする場合には、ＧＰＳ衛星からの電波を利用して、現在の所在地の地域（国）で採用している信号規格を自動的に識別し、ＴＶ−ＯＵＴ信号出力部７が出力するテレビ信号の信号フォーマットが適切に決定されるので、様々な地域の間を移動する場合であっても、それぞれの地域でテレビ装置８の規格に合った適切なテレビ信号を自動的に選択することができる。特に、テーブル２２を用いて地域と信号規格との対応関係を管理することにより、様々な国で選択すべき適切な信号規格を簡単に特定できる。【０１２３】
なお、現在位置の座標を検出する方法については、ＧＰＳ受信部１３を用いる以外にも様々な方法が考えられる。【０１２４】
本発明を詳細にまた特定の実施態様を参照して説明したが、本発明の精神と範囲を逸脱することなく様々な変更や修正を加えることができることは当業者にとって明らかである。
【産業上の利用可能性】
【０１２５】
以上のように、例えば携帯電話端末、携帯型情報端末、ＰＨＳ端末のような携帯端末装置に本発明を適用することにより、利用者が携帯端末装置を所持して様々な地域（国）の間を移動する場合であっても、それぞれの地域で採用している信号規格に自動的に合わせて適切な信号フォーマットでテレビ信号などを出力することができる。従って、それぞれの地域に合わせて複数台の携帯端末装置を使い分ける必要もなくなるし、利用者が信号規格を調べる必要もなくなる。
【図１】
2008032369.tif 000003
【図２】
2008032369.tif 000004
【図３】
2008032369.tif 000005
【図４】
2008032369.tif 000006
【図５】
2008032369.tif 000007
【図６】
2008032369.tif 000008
【図７】
2008032369.tif 000009
【図８】
2008032369.tif 000010
【図９】
2008032369.tif 000011
【図１０】
2008032369.tif 000012
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、
前記無線通信部の１つが複数種類の通信規格に対応しているか、もしくは複数の無線通信部がそれぞれ異なる複数種類の通信規格に対応している場合に、１つ又は複数の前記無線通信部の動作状態に基づいて、選択されている通信規格の種別を検出する通信規格検出手段と、
前記通信規格検出手段が検出した通信規格の種別に応じて、前記標準信号出力部が出力する信号の形式を自動的に選択する信号形式選択手段と
を設けたことを特徴とする携帯端末装置。
【請求項２】
請求項１に記載の携帯端末装置において、
複数の通信規格のそれぞれについて対応付けられた信号規格を表す情報が予め保持された変換テーブルを更に設け、
前記信号形式選択手段は、前記通信規格検出手段が検出した通信規格の種別に基づいて前記変換テーブルを参照し、該当する信号規格を表す情報を取得し、この情報に基づいて前記標準信号出力部が出力する信号の形式を決定する
ことを特徴とする携帯端末装置。
【請求項３】
請求項１に記載の携帯端末装置において、複数種類の通信規格のそれぞれに対応した複数の無線通信部が存在する場合に、前記通信規格検出手段は、複数の無線通信部のそれぞれが動作中か否かを識別し、動作中の無線通信部が対応している通信規格の種別を検出することを特徴とする携帯端末装置。
【請求項４】
予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、
前記無線通信部の１つが複数種類の通信規格に対応しているか、もしくは複数の無線通信部がそれぞれ異なる複数種類の通信規格に対応している場合に、前記無線通信部を用いて、通信相手の無線基地局から、国の区別などそれ自身が存在する地域を特定する情報、もしくは前記無線基地局が対応している通信規格の種別を表す情報を基地局情報として取得する基地局情報取得手段と、
前記基地局情報取得手段が取得した基地局情報に基づいて、前記標準信号出力部が出力する信号の形式を自動的に選択する信号形式選択手段と
を設けたことを特徴とする携帯端末装置。
【請求項５】
請求項４に記載の携帯端末装置において、
国の区別などを表す複数の地域のそれぞれに対応付けられた通信規格、もしくは信号規格を表す情報が予め保持された地域変換テーブルを更に設け、
前記信号形式選択手段は、前記基地局情報取得手段が取得した基地局情報に基づいて前記地域変換テーブルを参照し、参照結果に基づいて選択すべき信号の形式を決定する
ことを特徴とする携帯端末装置。
【請求項６】
予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、
それ自身の現在位置を表す位置情報を取得する位置情報取得手段と、
前記位置情報取得手段が取得した位置情報に基づいて、国の区別などそれ自身が存在する地域を特定する地域特定手段と、
前記地域特定手段が特定した現在の地域の情報に基づいて、前記標準信号出力部が出力する信号の形式を自動的に選択する信号形式選択手段と
を設けたことを特徴とする携帯端末装置。
【請求項７】
請求項６に記載の携帯端末装置において、
国の区別などを表す複数の地域のそれぞれに対応付けられた通信規格、もしくは信号規格を表す情報が予め保持された地域変換テーブルを更に設け、
前記信号形式選択手段は、前記地域特定手段が特定した現在の地域の情報に基づいて、前記地域変換テーブルを参照し、参照結果に基づいて選択すべき信号の形式を決定する
ことを特徴とする携帯端末装置。
【手続補正２】
【補正対象書類名】明細書
【補正対象項目名】全文
【補正方法】変更
【補正の内容】
【発明の詳細な説明】
【技術分野】
【０００１】
本発明は、携帯電話端末、携帯情報端末、ＰＨＳ（パーソナルハンディホン）端末等のような携帯端末装置に関し、特に予め定められた信号規格に準拠した形式の信号を外部に用意されるテレビモニタのような外部の表示装置に対して出力することが可能な携帯端末装置に関する。
【背景技術】
【０００２】
最近では、携帯電話端末や携帯情報端末には様々な機能が備わっている。特に、カメラを用いて写真や動画を撮影したり、撮影により得られた画像をそれ自身の端末上の表示部に表示する機能を備える端末が増えている。また、このような携帯端末装置においては、撮影により得られた画像を外部の装置に出力する機能を備える場合もある。
【０００３】
例えば、特許文献１に開示されているように、携帯端末装置から出力した信号をテレビ装置に入力し、携帯端末装置で撮影した画像をテレビ装置の画面に画像を表示することも提案されている。
【特許文献１】特開２００５−１３０１７６号公報
【発明の開示】
【発明が解決しようとする課題】
【０００４】
携帯端末装置で撮影した画像や音声の信号をテレビ装置に入力するためには、テレビ放送の標準規格に準拠した信号フォーマットを用いて携帯端末装置から信号を出力するのが望ましい。例えば、日本国内のアナログ放送を受信するテレビ装置に対応する場合には、ＮＴＳＣ規格の信号フォーマットを用いてテレビ信号を携帯端末装置から出力する必要がある。
【０００５】
ところが、テレビ装置の規格には地域ごとに大きな違いがある。すなわち、日本、アメリカ、カナダなどの各国を含む地域ではＮＴＳＣ規格の信号フォーマットを用いているが、ドイツ、イギリス、オランダなどの地域ではＰＡＬ規格の信号フォーマットを用いており、更にフランス、サウジアラビア、ロシアなどの地域ではＳＥＣＡＭ規格の信号フォーマットを用いている。
【０００６】
従って、同じ携帯端末装置を様々な地域で販売する場合や、１つの携帯端末装置を所持した利用者が国をまたがって移動するような場合には、携帯端末装置が出力する信号と、それを入力するテレビ装置との間で規格の不一致が発生することになる。例えば、ＮＴＳＣ規格に従って信号を出力する携帯端末装置をドイツ国内で使用する場合には、テレビ装置の規格がＰＡＬ規格であるため、携帯端末装置が出力する信号をテレビ装置の画面に表示することができない。
【０００７】
そのため、例えば旅行者やビジネスマンが複数の国の間を移動するような場合には、事前に移動先の国の規格に合った特別な携帯端末装置を用意したり、種類の異なる複数台の携帯端末装置を所持する必要があった。また、同じ利用者が複数台の携帯端末装置を所持している場合であっても、移動先の国における規格を自分で調べて複数の携帯端末装置を使い分ける必要があった。
【０００８】
本発明は、端末の利用者が国などの複数地域間をまたがって移動するような場合であっても、移動先の地域でテレビ装置などを用いて端末の出力する信号を正しく表示することが可能な携帯端末装置を提供することを目的とする。
【課題を解決するための手段】
【０００９】
本発明は、予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、前記無線通信部の１つが複数種類の通信規格に対応しているか、もしくは複数の無線通信部がそれぞれ異なる複数種類の通信規格に対応している場合に、１つ又は複数の前記無線通信部の動作状態に基づいて、選択されている通信規格の種別を検出する通信規格検出手段と、前記通信規格検出手段が検出した通信規格の種別に応じて、前記標準信号出力部が出力する信号の形式を自動的に選択する信号形式選択手段とを設けたことを特徴とする。
【００１０】
国などの地域の違いに応じて、テレビ装置などが対応している信号規格が変わるが、同時に、携帯電話端末などが無線通信する際に利用する通信システムが対応している通信規格も地域の違いを反映して変化するのが一般的である。例えば、ＧＳＭ、ＰＤＣ、Ｗ−ＣＤＭＡ、ＵＭＴＳなどの通信規格が地域ごとに独立に採用されている。従って、通信システムが対応している通信規格が分かれば、地域の区分を特定することが可能であり、更に、特定された地域の区分からテレビ装置などが対応している信号規格（ＮＴＳＣ、ＰＡＬ、ＳＥＣＡＭなど）を特定することも可能である。
【００１１】
本発明では、標準信号出力部が出力する信号の形式を実際に使用する外部のテレビ装置などが対応している信号規格に合わせて自動的に選択することができる。すなわち、前記無線通信部が単独で複数種類の通信規格に対応している場合、あるいは複数の無線通信部がそれぞれ異なる通信規格に対応している場合には、１つ又は複数の無線通信部の動作状態を調べることにより、現在の地域（国）で利用可能な通信システムが対応している通信規格を区別することができるので、地域（国）を特定することもでき、該当する地域においてテレビ装置などが対応している信号規格も特定できる。従って、１台の携帯端末装置を様々な地域に持ち込んで利用する場合であっても、地域の違いに応じた信号規格の違いに自動的に対応できる。
【００１２】
また、本発明の別の態様としては、複数の通信規格のそれぞれについて対応付けられた信号規格を表す情報が予め保持された変換テーブルを更に設け、前記信号形式選択手段は、前記通信規格検出手段が検出した通信規格の種別に基づいて前記変換テーブルを参照し、該当する信号規格を表す情報を取得し、この情報に基づいて前記標準信号出力部が出力する信号の形式を決定することを特徴とする。
【００１３】
この構成により、変換テーブル上に複数の通信規格のそれぞれについて対応付けられた信号規格を表す情報が予め保持されているので、前記変換テーブルを参照することにより、前記通信規格検出手段が検出した通信規格の種別から適切な信号規格を特定することができる。また、地域を特定する必要もない。
【００１４】
また、本発明の別の態様としては、複数種類の通信規格のそれぞれに対応した複数の無線通信部が存在する場合に、前記通信規格検出手段は、複数の無線通信部のそれぞれが動作中か否かを識別し、動作中の無線通信部が対応している通信規格の種別を検出することを特徴とする。
【００１５】
この構成により、複数の無線通信部がそれぞれ異なる種類の通信規格に対応しているので、動作中の無線通信部を特定することにより、その端末が存在している地域における通信システムが対応している通信規格を特定することができる。
【００１６】
また、本発明の別の態様としては、予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、前記無線通信部の１つが複数種類の通信規格に対応しているか、もしくは複数の無線通信部がそれぞれ異なる複数種類の通信規格に対応している場合に、前記無線通信部を用いて、通信相手の無線基地局から、国の区別などそれ自身が存在する地域を特定する情報、もしくは前記無線基地局が対応している通信規格の種別を表す情報を基地局情報として取得する基地局情報取得手段と、前記基地局情報取得手段が取得した基地局情報に基づいて、前記標準信号出力部が出力する信号の形式を自動的に選択する信号形式選択手段とを設けたことを特徴とする。
【００１７】
この構成により、端末自身に搭載された前記無線通信部が所定の無線基地局と通信することにより前記基地局情報を取得するので、それ自身が現在存在する地域（国）を特定したり、あるいは前記基地局が対応している通信規格の種別を特定することができる。信号形式選択手段は、前記基地局情報に基づいて、前記標準信号出力部が出力する信号の形式を自動的に選択するので、実際に使用するテレビ装置などが対応している信号規格（ＮＴＳＣ、ＰＡＬ、ＳＥＣＡＭなど）に適した信号を出力することができる。
【００１８】
また、本発明の別の態様としては、国の区別などを表す複数の地域のそれぞれに対応付けられた通信規格、もしくは信号規格を表す情報が予め保持された地域変換テーブルを更に設け、前記信号形式選択手段は、前記基地局情報取得手段が取得した基地局情報に基づいて前記地域変換テーブルを参照し、参照結果に基づいて選択すべき信号の形式を決定することを特徴とする。
【００１９】
この構成により、前記地域変換テーブル上に、国の区別などを表す複数の地域のそれぞれに対応付けられた通信規格、もしくは信号規格を表す情報が予め保持されているので、信号形式選択手段は前記地域変換テーブルを参照することにより、前記基地局情報取得手段が取得した基地局情報から該当する通信規格、もしくは信号規格を特定できる。
【００２０】
また、本発明の別の態様としては、予め定められた通信規格に従って無線通信が可能な少なくとも１つの無線通信部と、予め定められた信号規格に準拠した形式の信号を外部に用意される任意の表示装置に対して出力する標準信号出力部とを備える携帯端末装置であって、それ自身の現在位置を表す位置情報を取得する位置情報取得手段と、前記位置情報取得手段が取得した位置情報に基づいて、国の区別などそれ自身が存在する地域を特定する地域特定手段と、前記地域特定手段が特定した現在の地域の情報に基づいて、前記標準信号出力部が出力する信号の形式を自動的に選択する信号形式選択手段とを設けたことを特徴とする。
【００２１】
この構成により、前記位置情報取得手段が取得した位置情報に基づいて、地域特定手段が国の区別など端末自身が存在する地域を特定するので、特定された地域で採用されている信号規格を特定することができ、該当地域に適した信号形式を自動的に選択できる。なお、前記位置情報取得手段については例えば市販のＧＰＳ（Global Positioning System）受信機を用いることにより、位置座標（緯度、経度）を検出できる。また、位置座標を地図情報と比較することにより、国などの地域を特定できる。
【００２２】
また、本発明の別の態様としては、国の区別などを表す複数の地域のそれぞれに対応付けられた通信規格、もしくは信号規格を表す情報が予め保持された地域変換テーブルを更に設け、前記信号形式選択手段は、前記地域特定手段が特定した現在の地域の情報に基づいて、前記地域変換テーブルを参照し、参照結果に基づいて選択すべき信号の形式を決定することを特徴とする。
【００２３】
この構成により、地域変換テーブル上に、国の区別などを表す複数の地域のそれぞれに対応付けられた通信規格、もしくは信号規格を表す情報が予め保持されているので、前記信号形式選択手段は前記地域変換テーブルを参照することにより、前記地域特定手段が特定した現在の地域の情報から、選択すべき信号の形式を決定することができる。
【発明の効果】
【００２４】
本発明によれば、端末の利用者が、表示装置の採用している規格（ＮＴＳＣ、ＰＡＬ、ＳＥＣＡＭなど）の異なる国などの複数地域間をまたがって移動するような場合であっても、移動先のそれぞれの地域でテレビ装置などを用いて端末の出力する信号を正しく表示することが可能になる。
【発明を実施するための最良の形態】
【００２５】
（第１の実施の形態）
本発明の携帯端末装置に関する１つの実施の形態について、図１及び図２を参照しながら以下に説明する。図１は第１の実施の形態における携帯端末装置の主要部の構成を示すブロック図である。図２は図１に示す携帯端末装置の主要動作を示すフローチャートである。
【００２６】
この形態の携帯端末装置５０Ａは、図１に示すように、無線部２と、無線部３と、ＴＶ−ＯＵＴ出力要求部４と、制御部５と、ＴＶ信号方式選択部６と、ＴＶ−ＯＵＴ信号出力部７とを備えている。
【００２７】
なお、具体的な携帯端末装置５０Ａとしては、携帯電話端末や、携帯型情報端末（ＰＤＡ）や、ＰＨＳ端末などが想定される。
【００２８】
無線部２は、携帯端末装置５０Ａが携帯電話などの機能を実現するために必要な無線通信機能を備える回路であり、所定の通信規格（例えばＰＤＣ、ＣＤＭＡ２０００、Ｗ−ＣＤＭＡ、ＧＳＭなどのいずれか）に従って通信を行うように構成されている。
【００２９】
無線部３は、上記無線部２と同様に、携帯端末装置５０Ａが携帯電話などの機能を実現するために必要な無線通信機能を備える回路であり、無線部２が対応している通信規格とは異なる通信規格に従って通信を行うように構成されている。
【００３０】
実際には、例えば無線部２を（Ｗ−ＣＤＭＡ）の通信規格に従うように構成し、無線部３を（ＧＳＭ）の通信規格に従うように構成することが想定される。これにより、無線部２と無線部３とを切り替えて使用することにより、２種類の通信規格のそれぞれに対応した通信モードで選択的に通信を行うことができるので、複数の地域（国）のいずれにおいても、通信システムが対応している通信規格に従って通信することができる。なお、無線部２が対応する通信規格や無線部３が対応する通信規格については、例えば携帯端末装置５０Ａが販売される地域の状況に応じて変更すればよい。
【００３１】
ＴＶ−ＯＵＴ信号出力部７は、携帯端末装置５０Ａの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。
【００３２】
ＴＶ−ＯＵＴ信号出力部７が出力するテレビ信号には、例えば携帯端末装置５０Ａに搭載されたカメラ（図示せず）を用いて撮影された写真や動画などの映像や音声などの情報を、アナログ信号の形態で含めることが想定される。なお、携帯端末装置５０Ａの外部に接続するテレビ装置８については、放送波を受信する機能を備えたテレビ受像機や、様々な機器が出力するテレビ信号を画面に表示する機能を備えたテレビモニタなどが想定される。
【００３３】
ＴＶ信号方式選択部６は、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。
【００３４】
ＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５に印加される。
【００３５】
制御部５は、予め定めたプログラムの内容と状況の変化とに対応して、携帯端末装置５０Ａ内部の各部を制御する。なお、制御部５についてはマイクロプロセッサを用いて構成することもできるし、制御用の専用の論理回路などのハードウェアを用いて構成することもできる。
【００３６】
図１に示す携帯端末装置５０Ａに関する特徴的な動作の処理手順が図２に示されている。すなわち、携帯端末装置５０Ａの内部のＴＶ−ＯＵＴ信号出力部７から標準フォーマットのテレビ信号を出力し、このテレビ信号をテレビ装置８に入力するための制御の内容が図２に示されている。図２の各ステップについて以下に説明する。
【００３７】
ステップＳ００１では、制御部５はＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５の処理は次のステップＳ００２に進む。
【００３８】
ステップＳ００２では、制御部５は一方の無線部２が動作中か否かを確認する。無線部２が動作中であった場合には、制御部５からＴＶ信号方式選択部６に対して無線部２が動作中であることを表す情報を送信し、ステップＳ００３の処理に進む。無線部２が動作中でなかった場合には、ステップＳ００４の処理に進む。
【００３９】
ステップＳ００３では、ＴＶ信号方式選択部６は制御部５から入力された情報（無線部２が動作中であるという情報）に基づいて、無線部２の状態を調べ、無線部２が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００４０】
ステップＳ００４では、制御部５はもう一方の無線部３が動作中か否かを確認する。無線部３が動作中であった場合には、制御部５はＴＶ信号方式選択部６に対して、無線部３が動作中であることを表す情報を送信し、ステップＳ００５の処理に進む。
【００４１】
ステップＳ００５では、ＴＶ信号方式選択部６は制御部５から入力された情報（無線部３が動作中であるという情報）に基づいて、無線部３の状態を調べ、無線部３が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００４２】
ステップＳ００６では、ＴＶ−ＯＵＴ信号出力部７は、ＴＶ信号方式選択部６から出力される制御信号に従って１つの信号規格（ＮＴＳＣ、ＰＡＬ、ＳＥＣＡＭのいずれか）を選択し、この信号規格に合わせた信号フォーマットでテレビ信号を出力する。
【００４３】
つまり、無線部２が動作状態であれば、無線部２が対応している通信規格に基づいて、ＴＶ−ＯＵＴ信号出力部７が出力するテレビ信号の信号フォーマットを規定する信号規格が自動的に選択され、無線部２が非動作状態でかつ無線部３が動作状態であれば、無線部３が対応している通信規格に基づいて、ＴＶ−ＯＵＴ信号出力部７が出力するテレビ信号の信号フォーマットを規定する信号規格が自動的に選択される。
【００４４】
例えば、無線部２が動作中であり、無線部２が対応している通信規格が（Ｗ−ＣＤＭＡ）であれば、（Ｗ−ＣＤＭＡ）に対応付けられた信号規格をＴＶ−ＯＵＴ信号出力部７が選択するように、ＴＶ信号方式選択部６が制御信号を生成する。また、無線部２が非動作状態で無線部３が動作中であり、無線部３が対応している通信規格が（ＧＳＭ）であれば、（ＧＳＭ）に対応付けられた信号規格をＴＶ−ＯＵＴ信号出力部７が選択するように、ＴＶ信号方式選択部６が制御信号を生成する。
【００４５】
具体的には、（Ｗ−ＣＤＭＡ）の通信規格を採用している地域（国）では、テレビ信号の信号規格として（ＮＴＳＣ）を採用している場合が多く、（ＧＳＭ）の通信規格を採用している地域（国）では、テレビ信号の信号規格として（ＰＡＬ）を採用している場合が多いので、ＴＶ信号方式選択部６は（Ｗ−ＣＤＭＡ）の通信規格と（ＮＴＳＣ）の信号規格とを対応付け、（ＧＳＭ）の通信規格と（ＰＡＬ）の信号規格とを対応付けるように制御すればよい。
【００４６】
従って、携帯端末装置５０Ａが無線部２を用いて（Ｗ−ＣＤＭＡ）の通信規格で通信している場合には、ＴＶ−ＯＵＴ信号出力部７が出力するテレビ信号の信号フォーマットを規定する信号規格として（ＮＴＳＣ）が選択され、携帯端末装置５０Ａが無線部３を用いて（ＧＳＭ）の通信規格で通信している場合には、ＴＶ−ＯＵＴ信号出力部７が出力するテレビ信号の信号フォーマットを規定する信号規格として（ＰＡＬ）が選択される。
【００４７】
もちろん、携帯電話などの通信で利用されている通信規格とテレビ信号の信号規格との対応関係については、各地域の実際の状況に合わせて適宜変更すればよい。なお、図１に示す携帯端末装置５０Ａは２つの無線部２及び３を備えているが、１つの無線部が複数種類の通信規格に選択的に対応できる場合には、１つの無線部を設けるだけでも構わない。また、複数の通信規格のそれぞれとテレビ信号の信号規格との対応関係については、無線部２と無線部３とのどちらが動作しているかに応じて対応関係を切り替えるように制御しても良い。
【００４８】
いずれにしても、図１に示す携帯端末装置５０Ａからテレビ信号を出力し、任意のテレビ装置８に画像等を表示しようとする場合には、動作中の無線部２又は無線部３が対応している通信規格に合わせて自動的に選択された信号規格に基づいて、ＴＶ−ＯＵＴ信号出力部７が出力するテレビ信号の信号フォーマットが決定されるので、携帯電話等で採用している通信規格とテレビ信号が採用している信号規格との関係が特定可能な地域（国）であれば、様々な地域の間を移動する場合であっても、それぞれの地域でテレビ装置８の規格に合った適切なテレビ信号を自動的に選択することができる。
【００４９】
（第２の実施の形態）
本発明の携帯端末装置に関するもう１つの実施の形態について、図３〜図５を参照しながら以下に説明する。
【００５０】
図３は第２の実施の形態における携帯端末装置の主要部の構成を示すブロック図である。図４は図３に示す携帯端末装置の主要動作を示すフローチャートである。図５は図３に示す携帯端末装置に搭載されたテーブルの構成例を示す模式図である。
【００５１】
この形態は第１の実施の形態の変形例である。また、図３において図１と対応する要素は同一の符号を付けて示してある。
【００５２】
この形態の携帯端末装置５０Ｂは、図３に示すように、無線部２と、無線部３と、無線部９と、無線部１０と、ＴＶ−ＯＵＴ出力要求部４と、制御部５Ｂと、ＴＶ信号方式選択部６Ｂと、ＴＶ−ＯＵＴ信号出力部７とを備えている。また、ＴＶ信号方式選択部６Ｂの内部には図５に示すようなテーブル２１が備わっている。
【００５３】
なお、具体的な携帯端末装置５０Ｂとしては、携帯電話端末や、携帯型情報端末（ＰＤＡ）や、ＰＨＳ端末などが想定される。
【００５４】
図３に示す無線部２、無線部３、無線部９及び無線部１０は、いずれも携帯端末装置５０Ｂが携帯電話などの機能を実現するために必要な無線通信機能を備える回路であり、所定の通信規格（例えばＰＤＣ、ＣＤＭＡ２０００、Ｗ−ＣＤＭＡ、ＧＳＭなどのいずれか）に従って通信を行うように構成されている。
【００５５】
但し、無線部２が対応している通信規格と、無線部３が対応している通信規格と、無線部９が対応している通信規格と、無線部１０が対応している通信規格とは互いに異なっている。つまり、無線部２と、無線部３と、無線部９と、無線部１０とを使い分けることにより、４種類の通信規格のそれぞれに対応した通信が可能になる。
【００５６】
実際には、例えば無線部２を（ＧＳＭ）の通信規格に従うように構成し、無線部３を（ＰＤＣ）の通信規格に従うように構成し、無線部９を（Ｗ−ＣＤＭＡ）の通信規格に従うように構成し、無線部１０を（ＵＭＴＳ）の通信規格に従うように構成することが想定される。
【００５７】
これにより、無線部２と、無線部３と、無線部９と、無線部１０とを切り替えて使用することにより、４種類の通信規格のそれぞれに対応した通信モードで選択的に通信を行うことができるので、複数の地域（国）のいずれにおいても、通信システムが対応している通信規格に従って通信することが可能になる。なお、各無線部２、３、９、１０がそれぞれ対応する通信規格については、例えば携帯端末装置５０Ｂが販売される地域の状況に応じて変更すればよい。また、携帯端末装置５０Ｂに設ける無線部の数については更に増やしても良い。
【００５８】
図３に示すＴＶ−ＯＵＴ信号出力部７は、携帯端末装置５０Ｂの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。
【００５９】
ＴＶ−ＯＵＴ信号出力部７が出力するテレビ信号には、例えば携帯端末装置５０Ｂに搭載されたカメラ（図示せず）を用いて撮影された写真や動画などの映像や音声などの情報を、アナログ信号の形態で含めることが想定される。なお、携帯端末装置５０Ｂの外部に接続するテレビ装置８については、放送波を受信する機能を備えたテレビ受像機や、様々な機器が出力するテレビ信号を画面に表示する機能を備えたテレビモニタなどが想定される。
【００６０】
図３に示すＴＶ信号方式選択部６Ｂは、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。
【００６１】
ＴＶ信号方式選択部６Ｂの内部には、図５に示すような構成のテーブル２１が設けてある。テーブル２１には、携帯端末装置５０Ｂに設けられた複数の無線部２、３、９、１０のそれぞれについて、通信規格（ＧＳＭ、ＰＤＣ、Ｗ−ＣＤＭＡ、ＵＭＴＳなど）と信号規格（ＰＡＬ、ＮＴＳＣ、ＳＥＣＡＭなど）との対応関係を表す情報が保持されている。従って、ＴＶ信号方式選択部６Ｂはテーブル２１の内容を参照することにより、各無線部２、３、９、１０と特定の信号規格（ＰＡＬ、ＮＴＳＣ、ＳＥＣＡＭなどのいずれか）とを対応付けたり、各通信規格（ＧＳＭ、ＰＤＣ、Ｗ−ＣＤＭＡ、ＵＭＴＳなどのいずれか）と特定の信号規格とを対応付けることができる。
【００６２】
図３に示すＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５Ｂに印加される。
【００６３】
図３に示す制御部５Ｂは、予め定めたプログラムの内容と状況の変化とに対応して、携帯端末装置５０Ｂ内部の各部を制御する。なお、制御部５Ｂについてはマイクロプロセッサを用いて構成することもできるし、制御用の専用の論理回路などのハードウェアを用いて構成することもできる。
【００６４】
図３に示す携帯端末装置５０Ｂに関する特徴的な動作の処理手順が図４に示されている。すなわち、携帯端末装置５０Ｂの内部のＴＶ−ＯＵＴ信号出力部７から標準フォーマットのテレビ信号を出力し、このテレビ信号をテレビ装置８に入力するための制御の内容が図４に示されている。図４の各ステップについて以下に説明する。
【００６５】
ステップＳ１０１では、制御部５ＢはＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５Ｂの処理は次のステップＳ１０２に進む。
【００６６】
ステップＳ１０２では、制御部５Ｂは１番目の無線部（Ａ）２が動作中か否かを確認する。無線部２が動作中であった場合には、制御部５ＢからＴＶ信号方式選択部６Ｂに対して無線部２が動作中であることを表す情報を送信し、ステップＳ１０３の処理に進む。無線部２が動作中でなかった場合には、ステップＳ１０４の処理に進む。
【００６７】
ステップＳ１０３では、ＴＶ信号方式選択部６Ｂは制御部５Ｂから入力された情報（無線部２が動作中であるという情報）に基づいて、無線部２の状態を調べ、無線部２が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００６８】
実際には、図５に示すようなテーブル２１がＴＶ信号方式選択部６Ｂに備わっているので、ＴＶ信号方式選択部６Ｂはテーブル２１の内容を参照し、制御部５Ｂから入力された情報と関連付けられている１つの信号規格を特定する。すなわち、図５に示す例では、無線部（Ａ）２の通信規格が（ＧＳＭ）であり、信号規格の（ＰＡＬ）と関連付けてあるので、ＴＶ−ＯＵＴ信号出力部７が（ＰＡＬ）の信号規格を選択するように制御信号を生成する。
【００６９】
ステップＳ１０４では、制御部５Ｂは２番目の無線部（Ｂ）３が動作中か否かを確認する。無線部３が動作中であった場合には、制御部５ＢからＴＶ信号方式選択部６Ｂに対して無線部３が動作中であることを表す情報を送信し、ステップＳ１０５の処理に進む。無線部３が動作中でなかった場合には、ステップＳ１０７の処理に進む。
【００７０】
ステップＳ１０５では、ＴＶ信号方式選択部６Ｂは制御部５Ｂから入力された情報（無線部３が動作中であるという情報）に基づいて、無線部３の状態を調べ、無線部３が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００７１】
実際には、ステップＳ１０３と同様にＴＶ信号方式選択部６Ｂはテーブル２１の内容を参照し、制御部５Ｂから入力された情報と関連付けられている１つの信号規格を特定する。すなわち、図５に示す例では、無線部（Ｂ）３の通信規格が（ＰＤＣ）であり、信号規格の（ＮＴＳＣ）と関連付けてあるので、ＴＶ−ＯＵＴ信号出力部７が（ＮＴＳＣ）の信号規格を選択するように制御信号を生成する。
【００７２】
ステップＳ１０７では、制御部５Ｂは３番目の無線部（Ｃ）９が動作中か否かを確認する。無線部９が動作中であった場合には、制御部５ＢからＴＶ信号方式選択部６Ｂに対して無線部９が動作中であることを表す情報を送信し、ステップＳ１０８の処理に進む。無線部９が動作中でなかった場合には、ステップＳ１０９の処理に進む。
【００７３】
ステップＳ１０８では、ＴＶ信号方式選択部６Ｂは制御部５Ｂから入力された情報（無線部９が動作中であるという情報）に基づいて、無線部９の状態を調べ、無線部９が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００７４】
実際には、ステップＳ１０３と同様にＴＶ信号方式選択部６Ｂはテーブル２１の内容を参照し、制御部５Ｂから入力された情報と関連付けられている１つの信号規格を特定する。すなわち、図５に示す例では、無線部（Ｃ）９の通信規格が（Ｗ−ＣＤＭＡ）であり、信号規格の（ＮＴＳＣ）と関連付けてあるので、ＴＶ−ＯＵＴ信号出力部７が（ＮＴＳＣ）の信号規格を選択するように制御信号を生成する。
【００７５】
ステップＳ１０９では、制御部５Ｂは４番目の無線部（Ｄ）１０が動作中か否かを確認する。無線部１０が動作中であった場合には、制御部５ＢからＴＶ信号方式選択部６Ｂに対して無線部１０が動作中であることを表す情報を送信し、ステップＳ１１０の処理に進む。無線部９が動作中でなかった場合には他の処理に進む。
【００７６】
ステップＳ１１０では、ＴＶ信号方式選択部６Ｂは制御部５Ｂから入力された情報（無線部１０が動作中であるという情報）に基づいて、無線部１０の状態を調べ、無線部１０が対応している通信規格（例えばＰＤＣ、ＣＤＭＡ２０００、Ｗ−ＣＤＭＡ、ＧＳＭのいずれか）に事前に対応付けられた信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００７７】
実際には、ステップＳ１０３と同様にＴＶ信号方式選択部６Ｂはテーブル２１の内容を参照し、制御部５Ｂから入力された情報と関連付けられている１つの信号規格を特定する。すなわち、図５に示す例では、無線部（Ｄ）１０の通信規格が（ＵＭＴＳ）であり、信号規格の（ＰＡＬ）と関連付けてあるので、ＴＶ−ＯＵＴ信号出力部７が（ＰＡＬ）の信号規格を選択するように制御信号を生成する。
【００７８】
ステップＳ１０６では、ＴＶ−ＯＵＴ信号出力部７は、ＴＶ信号方式選択部６Ｂから出力される制御信号に従って１つの信号規格（ＮＴＳＣ、ＰＡＬ、ＳＥＣＡＭのいずれか）を選択し、この信号規格に合わせた信号フォーマットでテレビ信号を出力する。
【００７９】
つまり、無線部２が動作状態であれば、無線部２が対応している通信規格に基づいて、ＴＶ−ＯＵＴ信号出力部７が出力するテレビ信号の信号フォーマットを規定する信号規格が自動的に選択され、無線部２が非動作状態でかつ無線部３が動作状態であれば、無線部３が対応している通信規格に基づいて、ＴＶ−ＯＵＴ信号出力部７が出力するテレビ信号の信号フォーマットを規定する信号規格が自動的に選択され、無線部２及び３が非動作状態でかつ無線部９が動作状態であれば、無線部９が対応している通信規格に基づいて、ＴＶ−ＯＵＴ信号出力部７が出力するテレビ信号の信号フォーマットを規定する信号規格が自動的に選択され、無線部２、３、９が全て非動作状態でかつ無線部１０が動作状態であれば、無線部１０が対応している通信規格に基づいて、ＴＶ−ＯＵＴ信号出力部７が出力するテレビ信号の信号フォーマットを規定する信号規格が自動的に選択される。
【００８０】
なお、ＴＶ信号方式選択部６Ｂ内のテーブル２１上に事前に登録される通信規格とテレビ信号の信号規格との対応関係については、各地域（国）における通信システムの実際の状況に合わせて適宜決定すればよい。また、例えばテーブル２１として内容の異なる複数種類のテーブルを用意しておき、実際に使用するテーブルをスイッチなどを選択できるように構成しても良い。
【００８１】
いずれにしても、図３に示す携帯端末装置５０Ｂからテレビ信号を出力し、任意のテレビ装置８に画像等を表示しようとする場合には、動作中のいずれかの無線部（２、３、９、１０）が対応している通信規格に合わせて自動的に選択された信号規格に基づいて、ＴＶ−ＯＵＴ信号出力部７が出力するテレビ信号の信号フォーマットが決定されるので、携帯電話等で採用している通信規格とテレビ信号が採用している信号規格との関係が特定可能な地域（国）であれば、様々な地域の間を移動する場合であっても、それぞれの地域でテレビ装置８の規格に合った適切なテレビ信号を自動的に選択することができる。特に、テーブル２１を用いて通信規格と信号規格との対応関係を管理することにより、様々な通信規格が存在する場合であっても、選択すべき適切な信号規格を簡単に特定できる。
【００８２】
（第３の実施の形態）
本発明の携帯端末装置に関するもう１つの実施の形態について、図６〜図８を参照しながら以下に説明する。図６は第３の実施の形態における携帯端末装置の主要部の構成を示すブロック図である。図７は図６に示す携帯端末装置の主要動作を示すフローチャートである。図８は図６に示す携帯端末装置に搭載されたテーブルの構成例を示す模式図である。
【００８３】
この形態は第１の実施の形態の変形例である。また、図６において図１と対応する要素は同一の符号を付けて示してある。
【００８４】
この形態の携帯端末装置５０Ｃは、図６に示すように、無線部１１と、ＴＶ−ＯＵＴ出力要求部４と、制御部５Ｃと、ＴＶ信号方式選択部６Ｃと、ＴＶ−ＯＵＴ信号出力部７とを備えている。また、ＴＶ信号方式選択部６Ｃの内部には図８に示すようなテーブル２２が備わっている。
【００８５】
なお、具体的な携帯端末装置５０Ｃとしては、携帯電話端末や、携帯型情報端末（ＰＤＡ）や、ＰＨＳ端末などが想定される。
【００８６】
図６に示す無線部１１は、いずれも携帯端末装置５０Ｃが携帯電話などの機能を実現するために必要な無線通信機能を備える回路であり、それ自身のモード切替により、複数種類の通信規格（例えばＰＤＣ、ＣＤＭＡ２０００、Ｗ−ＣＤＭＡ、ＧＳＭなど）のそれぞれに対応し、いずれの通信規格でも通信できるように構成されている。また、無線通信の相手である基地局１２との間で通信し、基地局１２から現在の地域（所在地の国など）を特定可能な情報を取得することができる。
【００８７】
図６に示すＴＶ−ＯＵＴ信号出力部７は、携帯端末装置５０Ｃの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。
【００８８】
ＴＶ−ＯＵＴ信号出力部７が出力するテレビ信号には、例えば携帯端末装置５０Ｃに搭載されたカメラ（図示せず）を用いて撮影された写真や動画などの映像や音声などの情報を、アナログ信号の形態で含めることが想定される。なお、携帯端末装置５０Ｃの外部に接続するテレビ装置８については、放送波を受信する機能を備えたテレビ受像機や、様々な機器が出力するテレビ信号を画面に表示する機能を備えたテレビモニタなどが想定される。
【００８９】
図６に示すＴＶ信号方式選択部６Ｃは、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。
【００９０】
ＴＶ信号方式選択部６Ｃの内部には、図８に示すような構成のテーブル２２が設けてある。テーブル２２には、複数の地域（国）のそれぞれについて、テレビ信号の規格として採用されている信号規格（ＰＡＬ、ＮＴＳＣ、ＳＥＣＡＭなど）を表す情報が保持されている。
【００９１】
従って、所在地の国が特定できる場合には、ＴＶ信号方式選択部６Ｃはテーブル２２の内容を参照することにより、選択すべき信号規格（ＰＡＬ、ＮＴＳＣ、ＳＥＣＡＭなどのいずれか）も特定できる。
【００９２】
図６に示すＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５Ｃに印加される。
【００９３】
図６に示す制御部５Ｃは、予め定めたプログラムの内容と状況の変化とに対応して、携帯端末装置５０Ｃ内部の各部を制御する。なお、制御部５Ｃについてはマイクロプロセッサを用いて構成することもできるし、制御用の専用の論理回路などのハードウェアを用いて構成することもできる。
【００９４】
図６に示す携帯端末装置５０Ｃに関する特徴的な動作の処理手順が図７に示されている。すなわち、携帯端末装置５０Ｃの内部のＴＶ−ＯＵＴ信号出力部７から標準フォーマットのテレビ信号を出力し、このテレビ信号をテレビ装置８に入力するための制御の内容が図７に示されている。図７の各ステップについて以下に説明する。
【００９５】
ステップＳ２０１では、制御部５ＣはＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５Ｃの処理は次のステップＳ２０２に進む。
【００９６】
ステップＳ２０２では、制御部５Ｃの指示に従って、無線部１１が現在の所在地の国を表す情報を含む地域情報を基地局１２に対して要求する。この要求に対して、基地局１２は所在地の国を表す情報を含む地域情報を送信する。そして無線部１１は、基地局１２から取得した地域情報を制御部５Ｃに通知する。更に、制御部５Ｃは無線部１１から通知された地域情報の内容（国の区別）をＴＶ信号方式選択部６Ｃに通知する。
【００９７】
ステップＳ２０３では、ＴＶ信号方式選択部６Ｃは制御部５Ｃから通知された地域情報の内容（国の区別）に基づいて、現在の地域（国）でテレビ信号の適切な信号規格（ＮＴＳＣ、ＰＡＬ、ＳＥＣＡＭのいずれか）を選択するための制御信号を生成し、この制御信号をＴＶ−ＯＵＴ信号出力部７に出力する。
【００９８】
実際には、ＴＶ信号方式選択部６Ｃにテーブル２２が備わっているので、ＴＶ信号方式選択部６Ｃはテーブル２２の内容を参照し、現在の地域（国）と関連付けられている１つの信号規格を特定する。例えば、図８に示す内容のテーブル２２を用いる場合に、検出された現在の地域（国）が「日本」であれば、信号規格として（ＮＴＳＣ）を自動的に選択し、現在の地域（国）が「スペイン」であれば、信号規格として（ＰＡＬ）を自動的に選択し、現在の地域（国）が「フランス」であれば、信号規格として（ＳＥＣＡＭ）を自動的に選択するようにそれぞれ制御信号を生成する。
【００９９】
ステップＳ２０４では、ＴＶ−ＯＵＴ信号出力部７は、ＴＶ信号方式選択部６Ｃから出力される制御信号に従って１つの信号規格（ＮＴＳＣ、ＰＡＬ、ＳＥＣＡＭのいずれか）を選択し、この信号規格に合わせた信号フォーマットでテレビ信号を出力する。
【０１００】
なお、ＴＶ信号方式選択部６Ｃ内のテーブル２２上に事前に登録される国とテレビ信号の信号規格との対応関係については、実際の各地域（国）におけるテレビ放送の規格に合わせて適宜決定すればよい。また、例えばテーブル２２として内容の異なる複数種類のテーブルを用意しておき、実際に使用するテーブルをスイッチなどを選択できるように構成しても良い。また、テーブル２２上に登録する国の数については必要に応じて増やしても良い。
【０１０１】
また、図６に示した携帯端末装置５０Ｃにおいては、国を表す地域情報を基地局１２から取得する場合を想定しているが、地域情報の代わりにシステムが対応している通信規格（例えばＰＤＣ、ＣＤＭＡ２０００、Ｗ−ＣＤＭＡ、ＧＳＭなどの区分）を表す情報を取得しても良い。その場合には、テーブル２２の代わりに前述のテーブル２１を利用すればよい。
【０１０２】
いずれにしても、図６に示す携帯端末装置５０Ｃからテレビ信号を出力し、任意のテレビ装置８に画像等を表示しようとする場合には、現在の所在地の地域（国）で採用している信号規格を自動的に識別し、ＴＶ−ＯＵＴ信号出力部７が出力するテレビ信号の信号フォーマットが適切に決定されるので、様々な地域の間を移動する場合であっても、それぞれの地域でテレビ装置８の規格に合った適切なテレビ信号を自動的に選択することができる。特に、テーブル２２を用いて地域と信号規格との対応関係を管理することにより、様々な国で選択すべき適切な信号規格を簡単に特定できる。
【０１０３】
（第４の実施の形態）
本発明の携帯端末装置に関するもう１つの実施の形態について、図９及び図１０を参照しながら以下に説明する。図９は第４の実施の形態における携帯端末装置の主要部の構成を示すブロック図である。図１０は図９に示す携帯端末装置の主要動作を示すフローチャートである。
【０１０４】
この形態は第１の実施の形態の変形例である。また、図９において図１と対応する要素は同一の符号を付けて示してある。
【０１０５】
この形態の携帯端末装置５０Ｄは、図９に示すように、ＧＰＳ受信部１３と、ＴＶ−ＯＵＴ出力要求部４と、制御部５Ｄと、ＴＶ信号方式選択部６Ｄと、ＴＶ−ＯＵＴ信号出力部７とを備えている。
【０１０６】
なお、具体的な携帯端末装置５０Ｄとしては、携帯電話端末や、携帯型情報端末（ＰＤＡ）や、ＰＨＳ端末などが想定される。
【０１０７】
ＧＰＳ受信部１３は、同時に複数のＧＰＳ（Global Positioning System）衛星からの電波を受信することにより、それ自身が存在する位置の座標（緯度／経度）を表す情報を計算により求めることができる。なお、ＧＰＳ受信部１３については市販のＧＰＳ受信機を用いることができる。
【０１０８】
図９に示すＴＶ−ＯＵＴ信号出力部７は、携帯端末装置５０Ｄの外部に接続されるテレビ装置８に対して規格で定められた標準フォーマットのテレビ信号を出力する電気回路である。また、ＴＶ−ＯＵＴ信号出力部７は複数種類の信号規格（ＮＴＳＣ、ＰＡＬ、ＳＥＣＡＭ）に対応しており、選択された信号規格に合わせた標準フォーマットのアナログテレビ信号を出力することができる。
【０１０９】
ＴＶ−ＯＵＴ信号出力部７が出力するテレビ信号には、例えば携帯端末装置５０Ｄに搭載されたカメラ（図示せず）を用いて撮影された写真や動画などの映像や音声などの情報を、アナログ信号の形態で含めることが想定される。なお、携帯端末装置５０Ｄの外部に接続するテレビ装置８については、放送波を受信する機能を備えたテレビ受像機や、様々な機器が出力するテレビ信号を画面に表示する機能を備えたテレビモニタなどが想定される。
【０１１０】
図９に示すＴＶ信号方式選択部６Ｄは、ＴＶ−ＯＵＴ信号出力部７がテレビ装置８に出力するテレビ信号の信号フォーマットを規格に合わせて切り替えるための制御信号を生成し、この制御信号をＴＶ−ＯＵＴ信号出力部７に印加する。
【０１１１】
図９に示すＴＶ−ＯＵＴ出力要求部４は、例えば操作可能なボタンのような入力装置で構成され、利用者からの入力操作に応答して、ＴＶ−ＯＵＴ信号出力部７が標準フォーマットのアナログテレビ信号を出力する動作を開始することに関する要求（ＴＶ−ＯＵＴ出力要求）を発生する。この要求は制御部５Ｃに印加される。
【０１１２】
図９に示す制御部５Ｄは、予め定めたプログラムの内容と状況の変化とに対応して、携帯端末装置５０Ｄ内部の各部を制御する。なお、制御部５Ｄについてはマイクロプロセッサを用いて構成することもできるし、制御用の専用の論理回路などのハードウェアを用いて構成することもできる。
【０１１３】
図９に示す携帯端末装置５０Ｄに関する特徴的な動作の処理手順が図１０に示されている。すなわち、携帯端末装置５０Ｄの内部のＴＶ−ＯＵＴ信号出力部７から標準フォーマットのテレビ信号を出力し、このテレビ信号をテレビ装置８に入力するための制御の内容が図１０に示されている。図１０の各ステップについて以下に説明する。
【０１１４】
ステップＳ３０１では、制御部５ＤはＴＶ−ＯＵＴ出力要求部４から所定のＴＶ−ＯＵＴ出力要求が入力されたか否かを調べる。利用者からの入力操作等に応答して、ＴＶ−ＯＵＴ出力要求部４がＴＶ−ＯＵＴ出力要求を出力した場合には、制御部５Ｄの処理は次のステップＳ３０２に進む。
【０１１５】
ステップＳ３０２では、制御部５Ｃの指示に従って、ＧＰＳ受信部１３は複数のＧＰＳ衛星からの電波を同時に受信すると共に、受信した電波の信号に基づいてそれ自身の現在位置を表す緯度／経度の情報を算出する。ＧＰＳ受信部１３が算出した位置情報は制御部５Ｄに通知される。制御部５Ｄは、ＧＰＳ受信部１３から通知された緯度／経度の位置情報に基づいて該当する地域（国）を特定し、特定された地域を表す情報をＴＶ信号方式選択部６Ｄに通知する。
【０１１６】
ステップＳ３０３では、ＴＶ信号方式選択部６Ｄは制御部５Ｄから通知された地域情報の内容（国の区別）に基づいて、現在の地域（国）でテレビ信号の適切な信号規格（ＮＴＳＣ、ＰＡＬ、ＳＥＣＡＭのいずれか）を選択するための制御信号を生成し、この制御信号をＴＶ−ＯＵＴ信号出力部７に出力する。例えば前述のテーブル２２を利用することにより、現在の地域（国）で採用されているテレビ信号の信号規格（ＮＴＳＣ、ＰＡＬ、ＳＥＣＡＭ等）を識別できる。
【０１１７】
例えば、図８に示す内容のテーブル２２を用いる場合に、検出された現在位置を含む地域（国）が「日本」であれば、信号規格として（ＮＴＳＣ）を自動的に選択し、検出された現在位置を含む地域（国）が「スペイン」であれば、信号規格として（ＰＡＬ）を自動的に選択し、検出された現在位置を含む地域（国）が「フランス」であれば、信号規格として（ＳＥＣＡＭ）を自動的に選択するようにそれぞれ制御信号が生成される。
【０１１８】
ステップＳ３０４では、ＴＶ−ＯＵＴ信号出力部７は、ＴＶ信号方式選択部６Ｄから出力される制御信号に従って１つの信号規格（ＮＴＳＣ、ＰＡＬ、ＳＥＣＡＭのいずれか）を選択し、この信号規格に合わせた信号フォーマットでテレビ信号を出力する。
【０１１９】
なお、図９に示した携帯端末装置５０Ｄにおいては、現在位置の座標から地域（国）を識別する機能を制御部５Ｄに設ける場合を想定しているが、ＧＰＳ受信部１３側で地域を識別しても良いし、ＴＶ信号方式選択部６Ｄ側で位置座標から地域を識別しても良い。なお、他の実施の形態と同様に少なくとも１つの無線部を携帯端末装置５０Ｄにも搭載するのが望ましい。
【０１２０】
いずれにしても、図９に示す携帯端末装置５０Ｄからテレビ信号を出力し、任意のテレビ装置８に画像等を表示しようとする場合には、ＧＰＳ衛星からの電波を利用して、現在の所在地の地域（国）で採用している信号規格を自動的に識別し、ＴＶ−ＯＵＴ信号出力部７が出力するテレビ信号の信号フォーマットが適切に決定されるので、様々な地域の間を移動する場合であっても、それぞれの地域でテレビ装置８の規格に合った適切なテレビ信号を自動的に選択することができる。特に、テーブル２２を用いて地域と信号規格との対応関係を管理することにより、様々な国で選択すべき適切な信号規格を簡単に特定できる。
【０１２１】
なお、現在位置の座標を検出する方法については、ＧＰＳ受信部１３を用いる以外にも様々な方法が考えられる。
【０１２２】
本発明を詳細にまた特定の実施態様を参照して説明したが、本発明の精神と範囲を逸脱することなく様々な変更や修正を加えることができることは当業者にとって明らかである。
【産業上の利用可能性】
【０１２３】
以上のように、例えば携帯電話端末、携帯型情報端末、ＰＨＳ端末のような携帯端末装置に本発明を適用することにより、利用者が携帯端末装置を所持して様々な地域（国）の間を移動する場合であっても、それぞれの地域で採用している信号規格に自動的に合わせて適切な信号フォーマットでテレビ信号などを出力することができる。従って、それぞれの地域に合わせて複数台の携帯端末装置を使い分ける必要もなくなるし、利用者が信号規格を調べる必要もなくなる。
【図面の簡単な説明】
【０１２４】
【図１】第１の実施の形態における携帯端末装置の主要部の構成を示すブロック図である。
【図２】図１に示す携帯端末装置の主要動作を示すフローチャートである。
【図３】第２の実施の形態における携帯端末装置の主要部の構成を示すブロック図である。
【図４】図３に示す携帯端末装置の主要動作を示すフローチャートである。
【図５】図３に示す携帯端末装置に搭載されたテーブルの構成例を示す模式図である。
【図６】第３の実施の形態における携帯端末装置の主要部の構成を示すブロック図である。
【図７】図６に示す携帯端末装置の主要動作を示すフローチャートである。
【図８】図６に示す携帯端末装置に搭載されたテーブルの構成例を示す模式図である。
【図９】第４の実施の形態における携帯端末装置の主要部の構成を示すブロック図である。
【図１０】図９に示す携帯端末装置の主要動作を示すフローチャートである。
【符号の説明】
【０１２５】
２、３、９、１０  無線部
４  ＴＶ−ＯＵＴ出力要求部
５、５Ｂ、５Ｃ、５Ｄ  制御部
６、６Ｂ、６Ｃ、６Ｄ  ＴＶ信号方式選択部
７  ＴＶ−ＯＵＴ信号出力部
８  テレビ装置
１１  無線部
１２  基地局
１３  ＧＰＳ受信部
２１、２２  テーブル
５０Ａ、５０Ｂ、５０Ｃ、５０Ｄ  携帯端末装置
【手続補正３】
【補正対象書類名】図面
【補正対象項目名】全図
【補正方法】変更
【補正の内容】
【図１】
2008032369.tif 000013
【図２】
2008032369.tif 000014
【図３】
2008032369.tif 000015
【図４】
2008032369.tif 000016
【図５】
2008032369.tif 000017
【図６】
2008032369.tif 000018
【図７】
2008032369.tif 000019
【図８】
2008032369.tif 000020
【図９】
2008032369.tif 000021
【図１０】
2008032369.tif 000022
【国際調査報告】
2008032369.tif 000023
2008032369.tif 000024
2008032369.tif 000025
2008032369.tif 000026
2008032369.tif 000027
2008032369.tif 000028